(57)【要約】【課題】  体形補整用ガードルにおいて、衣服の下に着用するだけで十分に臀部や腹部の弛みを引き締めてヒップアップさせ、太ももがシェイプアップされること。【解決手段】  体形補整用ガードル１２は、パワーネット製ガードル本体２と、前中心２Ｃの上端から脚部２Ａ，２Ｂの付け根部分を巻いて縫付けられたパワーネット製第２ヨーク部材３Ａ，３Ｂと、両端をガードル本体２に縫付けられたサテンネット（ストレッチサテン）製引張り部材１３Ａ，１３Ｂを具備し、第２ヨーク部材３Ａ，３Ｂの上部で着用者の腹部が締め付けられ、下部で臀部が上方へ引上げられヒップの丸みが強調され、引張り部材１３Ａ，１３Ｂでヒップアップの効果が一層強化され、脚部２Ａ，２Ｂの付け根部分を巻いて脚部２Ａ，２Ｂの前方に大きく突出しているため、太もも内側の内転筋を締め付けるとともに引上げ、着用して歩くだけで内転筋が鍛えられて太ももをスリムにする。【選択図】        図５
2006291441.tif 000002
【特許請求の範囲】
【請求項１】
脚部を有し伸縮性生地からなる下着本体と、該下着本体の臀部裏側に左右対称に縫付けられた伸縮性生地からなる１対の第１ヨーク部材とを具備し、前記第１ヨーク部材は上端が前記下着本体の上端に達し、下方部分が拡がって前記下着本体裏側の前記脚部の後部付け根部分を覆うように縫付けられていることを特徴とする体形補整用下着。
【請求項２】
前記第１ヨーク部材は前記下方部分の内側の端が前記下着本体の股部分を巻いて前記脚部の前部付け根部分にまで達していることを特徴とする請求項１に記載の体形補整用下着。
【請求項３】
脚部を有し伸縮性生地からなる下着本体と、該下着本体の臀部裏側に左右対称に縫付けられた伸縮性生地からなる１対の第１ヨーク部材と、前記下着本体と前記第１ヨーク部材との間に挟み込まれ、上端と下端とを前記下着本体に縫付けられた伸縮性生地からなる１対の引張り部材とを具備し、前記第１ヨーク部材及び前記引張り部材は上端が前記下着本体の上端に達し、下方部分が拡がって前記下着本体裏側の前記脚部の後部付け根部分を覆うように縫付けられていることを特徴とする体形補整用下着。
【請求項４】
前記第１ヨーク部材のみまたは前記第１ヨーク部材及び前記引張り部材は前記下方部分の内側の端が前記下着本体の股部分を巻いて前記脚部の前部付け根部分にまで達していることを特徴とする請求項３に記載の体形補整用下着。
【請求項５】
脚部を有し伸縮性生地からなる下着本体と、該下着本体の裏側の前中心上端から前記脚部の付け根部分を巻いて左右対称に縫付けられた伸縮性生地からなる１対の第２ヨーク部材とを具備することを特徴とする体形補整用下着。
【請求項６】
脚部を有し伸縮性生地からなる下着本体と、該下着本体の裏側の前中心から左右に離れた上端から前記脚部の付け根部分を巻いて左右対称に縫付けられた伸縮性生地からなる１対の第２ヨーク部材とを具備することを特徴とする体形補整用下着。
【請求項７】
脚部を有し伸縮性生地からなる下着本体と、該下着本体の裏側の前中心中間部分から前記脚部の付け根部分を巻いて左右対称に縫付けられた伸縮性生地からなる１対の第２ヨーク部材とを具備することを特徴とする体形補整用下着。
【請求項８】
脚部を有し伸縮性生地からなる下着本体と、該下着本体の裏側の前中心中間部分から左右に離れた位置から前記脚部の付け根部分を巻いて左右対称に縫付けられた伸縮性生地からなる１対の第２ヨーク部材とを具備することを特徴とする体形補整用下着。
【請求項９】
前記下着本体と前記第２ヨーク部材との間に挟み込まれ、両端を前記下着本体に縫付けられた伸縮性生地からなる１対の引張り部材とを具備することを特徴とする請求項５乃至請求項８のいずれか１つに記載の体形補整用下着。
【請求項１０】
前記下着本体の臀部裏側に左右対称に縫付けられた伸縮性生地からなる１対の第１ヨーク部材を具備し、前記第１ヨーク部材は上端が前記下着本体の上端に達し、下方部分が拡がって前記下着本体裏側の前記脚部の後部付け根部分を覆うように縫付けられていることを特徴とする請求項５乃至請求項９のいずれか１つに記載の体形補整用下着。
【請求項１１】
前記第１ヨーク部材は前記下方部分の内側の端が前記下着本体の股部分を巻いて前記脚部の前部付け根部分にまで達していることを特徴とする請求項１０に記載の体形補整用下着。
【請求項１２】
前記第２ヨーク部材は前記脚部の付け根部分を巻いて前記脚部の前方まで突出していることを特徴とする請求項１０または請求項１１に記載の体形補整用下着。
【請求項１３】
さらに前記第２ヨーク部材と前記第１ヨーク部材との間に挟み込まれ、両端を前記第２ヨーク部材に縫付けられた伸縮性生地からなり、上端が前記下着本体の上端に達し、下方部分が拡がって前記下着本体裏側の前記脚部の後部付け根部分を覆うように縫付けられている１対の引張り部材を具備することを特徴とする請求項１０乃至請求項１２のいずれか１つに記載の体形補整用下着。
【請求項１４】
前記下着本体の裏側に、両端を前記下着本体に縫付けられた伸縮性生地からなり上端が前記下着本体の上端に達し下方部分が拡がって前記下着本体裏側の前記脚部の後部付け根部分を覆うように縫付けられている１対の引張り部材、前記第１ヨーク部材、前記第１ヨーク部材と前記第２ヨーク部材との間に挟み込まれ両端を前記第１ヨーク部材に縫付けられた伸縮性生地からなる１対の引張り部材、前記第２ヨーク部材の順に縫付けられていることを特徴とする請求項１３に記載の体形補整用下着。
【請求項１５】
前記第１ヨーク部材のみまたは前記第１ヨーク部材及び前記第１ヨーク部材に縫付けられた伸縮性生地からなる１対の引張り部材は前記下方部分の内側の端が前記下着本体の股部分を巻いて前記脚部の前部付け根部分にまで達していることを特徴とする請求項１０乃至請求項１４のいずれか１つに記載の体形補整用下着。
【請求項１６】
前記引張り部材の中間部分には１対以上の枝部分が設けられており、前記枝部分は前記下着本体の裏側または前記第２ヨーク部材の裏側または前記第１ヨーク部材の裏側に縫付けられていることを特徴とする請求項３，請求項４，請求項９，請求項１３乃至請求項１５のいずれか１つに記載の体形補整用下着。
【請求項１７】
前記第１ヨーク部材及び／または前記第２ヨーク部材の前記脚部の付け根部分を巻いて前記脚部の前方まで突出している部分が丸みを帯びた形状を有していることを特徴とする請求項１乃至請求項１６のいずれか１つに記載の体形補整用下着。
【請求項１８】
前記第１ヨーク部材及び／または前記第２ヨーク部材及び／または前記引張り部材の前記脚部の付け根部分を巻いて前記脚部の前方まで突出している部分が前記脚部の裾部分まで達していることを特徴とする請求項１乃至請求項１７のいずれか１つに記載の体形補整用下着。
【請求項１９】
前記伸縮性生地はサテンネット（ストレッチサテン）、パワーネット、ストレッチレースのいずれかであることを特徴とする請求項１乃至請求項１８のいずれか１つに記載の体形補整用下着。
【請求項２０】
前記第１ヨーク部材及び前記第２ヨーク部材及び前記引張り部材が前記下着本体の表側に縫付けられており、前記下着本体の表側から見える前記第１ヨーク部材及び／または前記第２ヨーク部材がストレッチレースからなることを特徴とする請求項１乃至請求項１９のいずれか１つに記載の体形補整用下着。
【請求項２１】
前記下着本体の前中心または脇部または後中心にはファスナーが前記体形補整用下着を開閉自在に設けられていることを特徴とする請求項１乃至請求項２０のいずれか１つに記載の体形補整用下着。
【請求項２２】
前記下着本体はガードル本体であり、前記体形補整用下着は女性用の体形補整用ガードルであることを特徴とする請求項１乃至請求項２１のいずれか１つに記載の体形補整用下着。
【発明の詳細な説明】
【技術分野】
【０００１】
本発明は、ズボン（パンツ）、スカート等の衣服の下に着用するだけで臀部の弛みを引き締めてヒップアップさせるとともに、着用して歩行するだけで内転筋が鍛えられて太ももがシェイプアップされて美しいプロポーションを得ることができる体形補整用下着に関するものである。ここで、「下着」とは、ズボン（パンツ）、スカート等の衣服の下に着用するガードル、ズボン下等の衣類を意味するものとする。
【背景技術】
【０００２】
従来、衣服の下に着用するガードル等の衣類において、体形補整機能または筋肉サポート機能を付与するため、ガードル等の衣類本体生地をジャガード編みからなる生地で構成し、緊迫力の強弱の要求に応じて編み組織を切り替えて、組織の変化によって所定部分に比較的緊迫力の強い部分と緊迫力の弱い部分をパターン状に形成する技術が知られている（特許文献１）。これによって、ガードル等の衣類に急激な段差を生ずることなく、体形補整機能または筋肉サポート機能を付与することができるとしている。
【０００３】
さらに、特許文献２に開示された発明においては、ガードル等の衣類において腹部布と左右身頃布がそれぞれジャガード編みからなる生地で構成され、腹部布における比較的緊迫力の強い部分と左右身頃布における比較的緊迫力の強い部分とが少なくとも一部において連結する構成としている。これによって、着用者の腹部にかかる緊迫力と腹部以外のヒップ等にかかる緊迫力とを連動させることで、相乗的に体形補整機能を向上させることができるとしている。
【特許文献１】特許第３０２３３５４号公報
【特許文献２】特開２００４−３３９６２３号公報
【発明の開示】
【発明が解決しようとする課題】
【０００４】
しかしながら、上記特許文献１及び特許文献２にかかる技術においては、いずれもジャガード編みからなる生地における編み組織の切り替えのみによって緊迫力の調整を行っているため、必要な箇所の緊迫力を十分に強くすることができず、十分な体形補整効果を得ることができないという問題点があった。さらに、近年は、女性のみでなく男性にも美しいプロポーションを得たいという要求が強くなる傾向にある。
【０００５】
そこで、本発明は、ズボン・パンツやスカート等の衣服の下に着用するだけで十分に臀部や腹部の弛みを引き締めてヒップアップさせ、さらに着用して歩行するだけで内転筋が鍛えられて太ももがシェイプアップされて美しいプロポーションを得ることができ、下着としての見栄えも損なうことがない、女性用の体形補整用ガードルや男性用の体形補整用ズボン下等の、体形補整用下着の提供を課題とするものである。
【課題を解決するための手段】
【０００６】
請求項１の発明にかかる体形補整用下着は、脚部を有し伸縮性生地からなる下着本体と、該下着本体の臀部裏側に左右対称に縫付けられた伸縮性生地からなる１対の第１ヨーク部材とを具備し、前記第１ヨーク部材は上端が前記下着本体の上端に達し、下方部分が拡がって前記下着本体裏側の前記脚部の後部付け根部分を覆うように縫付けられているものである。
【０００７】
請求項２の発明にかかる体形補整用下着は、請求項１の構成において、前記第１ヨーク部材は前記下方部分の内側の端が前記下着本体の股部分を巻いて前記脚部の前部付け根部分にまで達しているものである。
【０００８】
請求項３の発明にかかる体形補整用下着は、脚部を有し伸縮性生地からなる下着本体と、該下着本体の臀部裏側に左右対称に縫付けられた伸縮性生地からなる１対の第１ヨーク部材と、前記下着本体と前記第１ヨーク部材との間に挟み込まれ、上端と下端とを前記下着本体に縫付けられた伸縮性生地からなる１対の引張り部材とを具備し、前記第１ヨーク部材及び前記引張り部材は上端が前記下着本体の上端に達し、下方部分が拡がって前記下着本体裏側の前記脚部の後部付け根部分を覆うように縫付けられているものである。
【０００９】
請求項４の発明にかかる体形補整用下着は、請求項３の構成において、前記第１ヨーク部材のみまたは前記第１ヨーク部材及び前記引張り部材は前記下方部分の内側の端が前記下着本体の股部分を巻いて前記脚部の前部付け根部分にまで達しているものである。
【００１０】
請求項５の発明にかかる体形補整用下着は、脚部を有し伸縮性生地からなる下着本体と、該下着本体の裏側の前中心上端から前記脚部の付け根部分を巻いて左右対称に縫付けられた伸縮性生地からなる１対の第２ヨーク部材とを具備するものである。
【００１１】
請求項６の発明にかかる体形補整用下着は、脚部を有し伸縮性生地からなる下着本体と、該下着本体の裏側の前中心から左右に離れた上端から前記脚部の付け根部分を巻いて左右対称に縫付けられた伸縮性生地からなる１対の第２ヨーク部材とを具備するものである。
【００１２】
請求項７の発明にかかる体形補整用下着は、脚部を有し伸縮性生地からなる下着本体と、該下着本体の裏側の前中心中間部分から前記脚部の付け根部分を巻いて左右対称に縫付けられた伸縮性生地からなる１対の第２ヨーク部材とを具備するものである。
【００１３】
請求項８の発明にかかる体形補整用下着は、脚部を有し伸縮性生地からなる下着本体と、該下着本体の裏側の前中心中間部分から左右に離れた位置から前記脚部の付け根部分を巻いて左右対称に縫付けられた伸縮性生地からなる１対の第２ヨーク部材とを具備するものである。
【００１４】
請求項９の発明にかかる体形補整用下着は、請求項５乃至請求項８のいずれか１つの構成において、前記下着本体と前記第２ヨーク部材との間に挟み込まれ、両端を前記下着本体に縫付けられた伸縮性生地からなる１対の引張り部材とを具備するものである。
【００１５】
請求項１０の発明にかかる体形補整用下着は、請求項５乃至請求項９のいずれか１つの構成において、前記下着本体の臀部裏側に左右対称に縫付けられた伸縮性生地からなる１対の第１ヨーク部材を具備し、前記第１ヨーク部材は上端が前記下着本体の上端に達し、下方部分が拡がって前記下着本体裏側の前記脚部の後部付け根部分を覆うように縫付けられているものである。
【００１６】
請求項１１の発明にかかる体形補整用下着は、請求項１０の構成において、前記第１ヨーク部材は前記下方部分の内側の端が前記下着本体の股部分を巻いて前記脚部の前部付け根部分にまで達しているものである。
【００１７】
請求項１２の発明にかかる体形補整用下着は、請求項１０または請求項１１の構成において、前記第２ヨーク部材は前記脚部の付け根部分を巻いて前記脚部の前方まで突出しているものである。
【００１８】
請求項１３の発明にかかる体形補整用下着は、請求項１０乃至請求項１２のいずれか１つの構成において、さらに前記第２ヨーク部材と前記第１ヨーク部材との間に挟み込まれ、両端を前記第２ヨーク部材に縫付けられた伸縮性生地からなり、上端が前記下着本体の上端に達し、下方部分が拡がって前記下着本体裏側の前記脚部の後部付け根部分を覆うように縫付けられている１対の引張り部材を具備するものである。
【００１９】
請求項１４の発明にかかる体形補整用下着は、請求項１３の構成において、前記下着本体の裏側に、両端を前記下着本体に縫付けられた伸縮性生地からなり上端が前記下着本体の上端に達し下方部分が拡がって前記下着本体裏側の前記脚部の後部付け根部分を覆うように縫付けられている１対の引張り部材、前記第１ヨーク部材、前記第１ヨーク部材と前記第２ヨーク部材との間に挟み込まれ両端を前記第１ヨーク部材に縫付けられた伸縮性生地からなる１対の引張り部材、前記第２ヨーク部材の順に縫付けられているものである。
【００２０】
請求項１５の発明にかかる体形補整用下着は、請求項１０乃至請求項１４のいずれか１つの構成において、前記第１ヨーク部材のみまたは前記第１ヨーク部材及び前記第１ヨーク部材に縫付けられた伸縮性生地からなる１対の引張り部材は前記下方部分の内側の端が前記下着本体の股部分を巻いて前記脚部の前部付け根部分にまで達しているものである。
【００２１】
請求項１６の発明にかかる体形補整用下着は、請求項３，請求項４，請求項９，請求項１３乃至請求項１５のいずれか１つの構成において、前記引張り部材の中間部分には１対以上の枝部分が設けられており、前記枝部分は前記下着本体の裏側または前記第１ヨーク部材の裏側または前記第２ヨーク部材の裏側に縫付けられているものである。
【００２２】
請求項１７の発明にかかる体形補整用下着は、請求項１乃至請求項１６のいずれか１つの構成において、前記第１ヨーク部材及び／または前記第２ヨーク部材の前記脚部の付け根部分を巻いて前記脚部の前方まで突出している部分が丸みを帯びた形状を有しているものである。
【００２３】
請求項１８の発明にかかる体形補整用下着は、請求項１乃至請求項１７のいずれか１つの構成において、前記第１ヨーク部材及び／または前記第２ヨーク部材及び／または前記引張り部材の前記脚部の付け根部分を巻いて前記脚部の前方まで突出している部分が前記脚部の裾部分まで達しているものである。
【００２４】
請求項１９の発明にかかる体形補整用下着は、請求項１乃至請求項１８のいずれか１つの構成において、前記伸縮性生地はサテンネット（ストレッチサテン）、パワーネット、ストレッチレースのいずれかであるものである。
【００２５】
請求項２０の発明にかかる体形補整用下着は、請求項１乃至請求項１９のいずれか１つの構成において、前記第１ヨーク部材及び前記第２ヨーク部材及び前記引張り部材が前記下着本体の表側に縫付けられており、前記下着本体の表側から見える前記第１ヨーク部材及び／または前記第２ヨーク部材がストレッチレースからなるものである。
【００２６】
請求項２１の発明にかかる体形補整用下着は、請求項１乃至請求項２０のいずれか１つの構成において、前記下着本体の前中心または脇部または後中心にはファスナーが前記体形補整用下着を開閉自在に設けられているものである。
【００２７】
請求項２２の発明にかかる体形補整用下着は、請求項１乃至請求項２１のいずれか１つの構成において、前記下着本体はガードル本体であり、前記体形補整用下着は女性用の体形補整用ガードルであるものである。
【発明の効果】
【００２８】
請求項１の発明にかかる体形補整用下着は、脚部を有し伸縮性生地からなる下着本体と、その臀部裏側に左右対称に縫付けられた伸縮性生地からなる１対の第１ヨーク部材とを具備し、第１ヨーク部材は上端が下着本体の上端に達し、下方部分が拡がって下着本体裏側の脚部の後部付け根部分を覆うように縫付けられている。
【００２９】
ここで、「伸縮性生地」としては、例えば、パワーネット、サテンネット（ストレッチサテン）、ストレッチレース、等がある。下着本体と１対の第１ヨーク部材とは、同じ種類の伸縮性生地からなるものでも良く、異なる種類の伸縮性生地からなるものでも良い。また、第１ヨーク部材は引張り力を掛けない状態で下着本体の裏側に縫付けても良く、引張り力を掛けながら下着本体の裏側に縫付けても良い。
【００３０】
第１ヨーク部材は下着本体裏側の脚部の後部付け根部分を覆うように縫付けられており、上端が下着本体の上端に達しているので、着用者の臀部を上方へ引上げる働きをする。また、第１ヨーク部材は下着本体裏側に縫付けられているため、下着としての見栄えを損なうことがない。しかも、構造が簡単であるため製造が容易で安価な下着となる。
【００３１】
このようにして、ズボン・パンツやスカート等の衣服の下に着用するだけで十分に臀部の弛みを引き締めてヒップアップさせることができ、製造が容易で安価な、下着としての見栄えも損なうことがない体形補整用下着となる。
【００３２】
請求項２の発明にかかる体形補整用下着は、第１ヨーク部材が下方部分の内側の端が下着本体の股部分を巻いて脚部の前部付け根部分にまで達している。これによって、着用者の臀部を上方へ引上げる働きのみならず、普段鍛えられていない太もも内側の内転筋を締め付けるとともに引上げるため、着用して歩くだけで内転筋が鍛えられてシェイプアップされ、太ももをスリムにする効果をも具備する。
【００３３】
このようにして、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、下着としての見栄えも損なうことがない体形補整用下着となる。
【００３４】
請求項３の発明にかかる体形補整用下着は、脚部を有し伸縮性生地からなる下着本体と、その臀部裏側に左右対称に縫付けられた伸縮性生地からなる１対の第１ヨーク部材と、下着本体と第１ヨーク部材との間に挟み込まれ、上端と下端とを下着本体に縫付けられた伸縮性生地からなる１対の引張り部材とを具備し、第１ヨーク部材及び引張り部材は上端が下着本体の上端に達し、下方部分が拡がって下着本体裏側の脚部の後部付け根部分を覆うように縫付けられている。
【００３５】
ここで、下着本体と１対の第１ヨーク部材と１対の引張り部材とは、全て同じ種類の伸縮性生地からなるものでも良く、それぞれ異なる種類の伸縮性生地からなるものでも良く、これらのうち２つが同じ種類の伸縮性生地からなるものでも良い。また、引張り部材は引張り力を掛けながら下着本体の裏側に縫付けられ、第１ヨーク部材は引張り部材の上から縫付ける場合には、通常は引張り力を掛けない状態で下着本体の裏側に縫付けられるが、引張り力を掛けながら縫付けても良い。
【００３６】
第１ヨーク部材は下着本体裏側の脚部の後部付け根部分を覆うように縫付けられており、上端が下着本体の上端に達しているので、着用者の臀部を上方へ引上げる働きをする。また、引張り部材は上端と下端のみが縫付けられているので、ヒップアップの効果が一層強化される。さらに、第１ヨーク部材及び引張り部材は下着本体裏側に縫付けられているため、下着としての見栄えを損なうことがない。
【００３７】
このようにして、ズボン・パンツやスカート等の衣服の下に着用するだけで十分に臀部の弛みを引き締めてより強力にヒップアップさせることができ、下着としての見栄えも損なうことがない体形補整用下着となる。
【００３８】
請求項４の発明にかかる体形補整用下着は、第１ヨーク部材のみまたは第１ヨーク部材及び引張り部材が下方部分の内側の端が下着本体の股部分を巻いて脚部の前部付け根部分にまで達している。これによって、着用者の臀部を上方へより強力に引上げる効果のみならず、第１ヨーク部材のみまたは第１ヨーク部材及び引張り部材が普段鍛えられていない太もも内側の内転筋を締め付けるとともに引上げるため、着用して歩くだけで内転筋が鍛えられてシェイプアップされ、太ももをスリムにする効果をも具備する。
【００３９】
このようにして、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、下着としての見栄えも損なうことがない体形補整用下着となる。
【００４０】
請求項５の発明にかかる体形補整用下着は、脚部を有し伸縮性生地からなる下着本体と、その裏側の前中心上端から脚部の付け根部分を巻いて左右対称に縫付けられた伸縮性生地からなる１対の第２ヨーク部材とを具備する。
【００４１】
ここで、「伸縮性生地」としては、例えば、パワーネット、サテンネット（ストレッチサテン）、ストレッチレース、等がある。下着本体と１対の第２ヨーク部材とは、同じ種類の伸縮性生地からなるものでも良く、異なる種類の伸縮性生地からなるものでも良い。また、第２ヨーク部材は引張り力を掛けない状態で下着本体の裏側に縫付けても良く、引張り力を掛けながら下着本体の裏側に縫付けても良い。
【００４２】
これによって、着用者の腹部が第２ヨーク部材の上部で締め付けられて引き締められるとともに、着用者の臀部が第２ヨーク部材の下部で上方へ引上げられてヒップの丸みが強調される。また、構造が簡単であるため製造が容易で安価な下着となる。さらに、第２ヨーク部材は下着本体裏側に縫付けられているため、下着としての見栄えを損なうことがない。
【００４３】
このようにして、ズボン・パンツやスカート等の衣服の下に着用するだけで十分に腹部及び臀部の弛みを引き締めて強力にヒップアップさせることができ、製造が容易で安価な、下着としての見栄えも損なうことがない体形補整用下着となる。
【００４４】
請求項６の発明にかかる体形補整用下着は、脚部を有し伸縮性生地からなる下着本体と、その裏側の前中心から左右に離れた上端から脚部の付け根部分を巻いて左右対称に縫付けられた伸縮性生地からなる１対の第２ヨーク部材とを具備する。これによって、着用者の臀部が第２ヨーク部材の下部で上方へ引上げられてヒップの丸みが強調される。また、構造が簡単であるため製造が容易で安価な下着となる。さらに、第２ヨーク部材は下着本体裏側に縫付けられているため、下着としての見栄えを損なうことがない。
【００４５】
このようにして、ズボン・パンツやスカート等の衣服の下に着用するだけで十分に臀部の弛みを引き締めて強力にヒップアップさせることができ、製造が容易で安価な、下着としての見栄えも損なうことがない体形補整用下着となる。
【００４６】
請求項７の発明にかかる体形補整用下着は、脚部を有し伸縮性生地からなる下着本体と、その裏側の前中心中間部分から脚部の付け根部分を巻いて左右対称に縫付けられた伸縮性生地からなる１対の第２ヨーク部材とを具備する。これによって、着用者の下腹部が第２ヨーク部材の上部で引き締められるとともに、着用者の臀部が第２ヨーク部材の下部で上方へ引上げられてヒップの丸みが強調される。また、構造が簡単であるため製造が容易で安価な下着となる。さらに、第２ヨーク部材は下着本体裏側に縫付けられているため、下着としての見栄えを損なうことがない。
【００４７】
このようにして、ズボン・パンツやスカート等の衣服の下に着用するだけで十分に下腹部及び臀部の弛みを引き締めて強力にヒップアップさせることができ、製造が容易で安価な、下着としての見栄えも損なうことがない体形補整用下着となる。
【００４８】
請求項８の発明にかかる体形補整用下着は、脚部を有し伸縮性生地からなる下着本体と、その裏側の前中心中間部分から左右に離れた位置から脚部の付け根部分を巻いて左右対称に縫付けられた伸縮性生地からなる１対の第２ヨーク部材とを具備する。これによって、着用者の臀部が第２ヨーク部材の下部で上方へ引上げられてヒップの丸みが強調される。また、構造が簡単であるため製造が容易で安価な下着となる。さらに、第２ヨーク部材は下着本体裏側に縫付けられているため、下着としての見栄えを損なうことがない。
【００４９】
このようにして、ズボン・パンツやスカート等の衣服の下に着用するだけで十分に臀部の弛みを引き締めて強力にヒップアップさせることができ、製造が容易で安価な、下着としての見栄えも損なうことがない体形補整用下着となる。
【００５０】
請求項９の発明にかかる体形補整用下着は、下着本体と第２ヨーク部材との間に挟み込まれ、両端を下着本体に縫付けられた伸縮性生地からなる１対の引張り部材を具備するものである。
【００５１】
ここで、下着本体と１対の第２ヨーク部材と１対の引張り部材とは、全て同じ種類の伸縮性生地からなるものでも良く、それぞれ異なる種類の伸縮性生地からなるものでも良く、これらのうち２つが同じ種類の伸縮性生地からなるものでも良い。また、引張り部材は引張り力を掛けながら下着本体の裏側に縫付けられ、第２ヨーク部材は引張り部材の上から縫付ける場合には、通常は引張り力を掛けない状態で下着本体の裏側に縫付けられるが、引張り力を掛けながら縫付けても良い。
【００５２】
これによって、着用者の臀部が第２ヨーク部材の下部で上方へ引上げられてヒップの丸みが強調される。また、引張り部材は上端と下端のみが縫付けられているので、ヒップアップの効果が一層強化される。さらに、第２ヨーク部材及び引張り部材は下着本体裏側に縫付けられているため、下着としての見栄えを損なうことがない。
【００５３】
このようにして、ズボン・パンツやスカート等の衣服の下に着用するだけで十分に臀部の弛みを引き締めてヒップの丸みが強調されるとともにより強力にヒップアップさせることができ、下着としての見栄えも損なうことがない体形補整用下着となる。
【００５４】
請求項１０の発明にかかる体形補整用下着は、さらに下着本体の臀部裏側に左右対称に縫付けられた伸縮性生地からなる１対の第１ヨーク部材を具備し、第１ヨーク部材は上端が下着本体の上端に達し、下方部分が拡がって下着本体裏側の脚部の後部付け根部分を覆うように縫付けられている。
【００５５】
これによって、着用者の臀部が第２ヨーク部材の下部で上方へ引上げられてヒップの丸みが強調されるとともに、引張り部材は上端と下端のみが縫付けられているので、ヒップアップの効果が一層強化される。また、第１ヨーク部材は下着本体裏側の脚部の後部付け根部分を覆うように縫付けられており、上端が下着本体の上端に達しているので、ヒップアップの効果がより一層強化される。さらに、第１ヨーク部材及び第２ヨーク部材及び引張り部材は下着本体裏側に縫付けられているため、下着としての見栄えを損なうことがない。
【００５６】
このようにして、ズボン・パンツやスカート等の衣服の下に着用するだけで十分に臀部の弛みを引き締めてヒップの丸みが強調されるとともにより強力にヒップアップさせることができ、下着としての見栄えも損なうことがない体形補整用下着となる。
【００５７】
請求項１１の発明にかかる体形補整用下着は、第１ヨーク部材が下方部分の内側の端が下着本体の股部分を巻いて脚部の前部付け根部分にまで達している。これによって、着用者の臀部を上方へより強力に引上げる効果のみならず、第１ヨーク部材が普段鍛えられていない太もも内側の内転筋を締め付けるとともに引上げるため、着用して歩くだけで内転筋が鍛えられてシェイプアップされ、太ももをスリムにする効果をも具備する。
【００５８】
このようにして、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、下着としての見栄えも損なうことがない体形補整用下着となる。
【００５９】
請求項１２の発明にかかる体形補整用下着は、第２ヨーク部材が脚部の付け根部分を巻いて前記脚部の前方まで突出している。これによって、着用者の臀部を上方へより強力に引上げる効果のみならず、第２ヨーク部材が普段鍛えられていない太もも内側の内転筋を締め付けるとともに引上げるため、着用して歩くだけで内転筋が鍛えられてシェイプアップされ、太ももをスリムにする効果をも具備する。
【００６０】
このようにして、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、下着としての見栄えも損なうことがない体形補整用下着となる。
【００６１】
請求項１３の発明にかかる体形補整用下着は、さらに第２ヨーク部材と第１ヨーク部材との間に挟み込まれ、両端を第２ヨーク部材に縫付けられた伸縮性生地からなり、上端が下着本体の上端に達し、下方部分が拡がって下着本体裏側の脚部の後部付け根部分を覆うように縫付けられている１対の引張り部材を具備する。
【００６２】
ここで、下着本体と１対の第１ヨーク部材と１対の第２ヨーク部材と２種類の各１対の引張り部材とは、全て同じ種類の伸縮性生地からなるものでも良く、それぞれ異なる種類の伸縮性生地からなるものでも良く、これらのうち２つまたは３つまたは４つが同じ種類の伸縮性生地からなるものでも良い。また、２種類の引張り部材は引張り力を掛けながら下着本体或いは第２ヨーク部材の裏側に縫付けられ、第１ヨーク部材及び第２ヨーク部材は引張り部材の上から縫付ける場合には、通常は引張り力を掛けない状態で下着本体の裏側に縫付けられるが、引張り力を掛けながら縫付けても良い。
【００６３】
これによって、着用者の臀部が第１ヨーク材及び第２ヨーク部材の下部で上方へ引上げられてヒップの丸みが強調されるとともに、引張り部材は上端と下端のみが縫付けられているので、ヒップアップの効果がより一層強化される。また、第１ヨーク部材及び第２ヨーク部材及び引張り部材は下着本体裏側に縫付けられているため、下着としての見栄えを損なうことがない。
【００６４】
このようにして、ズボン・パンツやスカート等の衣服の下に着用するだけで十分に臀部の弛みを引き締めてヒップの丸みが強調されるとともにより強力にヒップアップさせることができ、下着としての見栄えも損なうことがない体形補整用下着となる。
【００６５】
請求項１４の発明にかかる体形補整用下着は、下着本体の裏側に、両端を下着本体に縫付けられた伸縮性生地からなり上端が下着本体の上端に達し下方部分が拡がって下着本体裏側の脚部の後部付け根部分を覆うように縫付けられている１対の引張り部材、第１ヨーク部材、第１ヨーク部材と第２ヨーク部材との間に挟み込まれ両端を第１ヨーク部材に縫付けられた伸縮性生地からなる１対の引張り部材、第２ヨーク部材の順に縫付けられている。
【００６６】
すなわち、請求項１３の発明にかかる構成と縫付ける順序が逆になっているものである。したがって、同様の効果が得られ、着用者の臀部が第１ヨーク材及び第２ヨーク部材の下部で上方へ引上げられてヒップの丸みが強調されるとともに、引張り部材は上端と下端のみが縫付けられているので、ヒップアップの効果がより一層強化される。また、第１ヨーク部材及び第２ヨーク部材及び引張り部材は下着本体裏側に縫付けられているため、下着としての見栄えを損なうことがない。
【００６７】
このようにして、ズボン・パンツやスカート等の衣服の下に着用するだけで十分に臀部の弛みを引き締めてヒップの丸みが強調されるとともにより強力にヒップアップさせることができ、下着としての見栄えも損なうことがない体形補整用下着となる。
【００６８】
請求項１５の発明にかかる体形補整用下着は、第１ヨーク部材のみまたは第１ヨーク部材及び第１ヨーク部材に縫付けられた伸縮性生地からなる１対の引張り部材が下方部分の内側の端が下着本体の股部分を巻いて脚部の前部付け根部分にまで達している。これによって、着用者の臀部を上方へより強力に引上げる効果のみならず、第１ヨーク部材のみまたは第１ヨーク部材及び第１ヨーク部材に縫付けられた伸縮性生地からなる１対の引張り部材が普段鍛えられていない太もも内側の内転筋を締め付けるとともに引上げるため、着用して歩くだけで内転筋が鍛えられてシェイプアップされ、太ももをスリムにする効果をも具備する。
【００６９】
このようにして、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、下着としての見栄えも損なうことがない体形補整用下着となる。
【００７０】
請求項１６の発明にかかる体形補整用下着は、引張り部材の中間部分には１対以上の枝部分が設けられており、枝部分は下着本体の裏側または第１ヨーク部材の裏側または第２ヨーク部材の裏側に縫付けられている。これによって、上端と下端しか縫付けられていなかった引張り部材が中間部分においても補助的に縫付けられることになり、下着本体と第１ヨーク部材または第２ヨーク部材との間、或いは第１ヨーク部材と第２ヨーク部材との間において捩れてしまう事態が防止され、特に体形補整用下着を洗濯する場合に捩れてしまう事態を防止することができる。
【００７１】
このようにして、ズボン・パンツやスカート等の衣服の下に着用するだけで十分に臀部の弛みを引き締めてヒップアップさせ、下着としての見栄えも損なうことがなく、引張り部材が捩れてしまうこともない体形補整用下着となる。
【００７２】
請求項１７の発明にかかる体形補整用下着は、第１ヨーク部材及び／または第２ヨーク部材の脚部の付け根部分を巻いて脚部の前方まで突出している部分が丸みを帯びた形状を有している。
【００７３】
これによって、請求項１乃至請求項１６に記載の効果に加えて、脚部の前方まで突出している部分を縫付ける際に、ミシン縫いでも手縫いでも（特にミシン縫いの際に）丸みを帯びた形状の縁に沿って途中で止まる必要がなく一気に縫付けることができるため、縫製が容易になり製造工程が短縮される。
【００７４】
このようにして、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができるとともに、製造工程を短縮することができ、下着としての見栄えも損なうことがない体形補整用下着となる。
【００７５】
請求項１８の発明にかかる体形補整用下着は、第１ヨーク部材及び／または第２ヨーク部材及び／または引張り部材の脚部の付け根部分を巻いて脚部の前方まで突出している部分が脚部の裾部分まで達している。
【００７６】
これによって、請求項１乃至請求項１７に記載の効果に加えて、太もも内側がより下方まで第１ヨーク部材及び／または第２ヨーク部材及び／または引張り部材によって締め付けられるため、太もも内側の内転筋を締め付ける効果がより増大して、着用して歩くだけで内転筋が鍛えられてシェイプアップされ、太ももをスリムにする効果がより強力になる。
【００７７】
このようにして、ズボン・パンツやスカート等の衣服の下に着用するだけで十分に臀部の弛みを引き締めてヒップアップさせ、さらに着用して歩行するだけでより強力に内転筋が鍛えられて太ももがシェイプアップされて美しいプロポーションを得ることができ、下着としての見栄えも損なうことがない体形補整用下着となる。
【００７８】
請求項１９の発明にかかる体形補整用下着は、伸縮性生地がサテンネット（ストレッチサテン）、パワーネット、ストレッチレースのいずれかである。即ち、下着本体がサテンネット（ストレッチサテン）、パワーネット、ストレッチレースのいずれかであり、第１ヨーク部材がサテンネット（ストレッチサテン）、パワーネット、ストレッチレースのいずれかであり、第２ヨーク部材がサテンネット（ストレッチサテン）、パワーネット、ストレッチレースのいずれかであり、２種類の引張り部材がサテンネット（ストレッチサテン）、パワーネット、ストレッチレースのいずれかである。
【００７９】
サテンネット（ストレッチサテン）、パワーネット、ストレッチレースは、いずれも伸縮性を有し、入手も容易であるため、体形補整用下着の各部材を構成するのに適している。したがって、上記の如く、各部材について全ての組み合わせが可能であるが、特に引張り部材のように強力な引張り力が必要な部材には、最も伸縮性の強いサテンネット（ストレッチサテン）を用いるのがより好ましい。
【００８０】
このようにして、ズボン・パンツやスカート等の衣服の下に着用するだけで十分に臀部の弛みを引き締めてヒップアップさせ、下着としての見栄えも損なうことがない体形補整用下着となる。
【００８１】
請求項２０の発明にかかる体形補整用下着は、第１ヨーク部材及び第２ヨーク部材及び引張り部材が下着本体の表側に縫付けられており、下着本体の表側から見える第１ヨーク部材及び／または第２ヨーク部材がストレッチレースからなるものである。
【００８２】
請求項１乃至請求項１９の発明にかかる体形補整用下着は、各部材を下着本体の表側に縫付けても、同等の作用効果を得ることができるが、外から見える部材がサテンネット（ストレッチサテン）やパワーネットであると、下着としての美観を損ねてしまう。そこで、外から見える第１ヨーク部材及び／または第２ヨーク部材をストレッチレースで作製することによって、これらの部材が装飾的な役割をも果たして、下着としての美観を損ねることがない。また、下着本体の裏側には何も縫付けられないため、内側には段差を生ずることがなく、着用感が一段と向上する。
【００８３】
このようにして、ズボン・パンツやスカート等の衣服の下に着用するだけで十分に臀部の弛みを引き締めてヒップアップさせ、下着としての見栄えも損なうことがなく、着用感が一段と向上する体形補整用下着となる。
【００８４】
請求項２１の発明にかかる体形補整用下着は、下着本体の前中心または脇部または後中心にファスナーが体形補整用下着を開閉自在に設けられているものである。請求項１乃至請求項２０の発明にかかる体形補整用下着は、全ての部分が伸縮性生地からなるため、引き締め効果は大きいが、その分着用に時間が掛かる場合があった。
【００８５】
そこで、下着本体の前中心または脇部または後中心にファスナーを開閉自在に設けることによって、着用時にはファスナーを開いて着用し、その後ファスナーを閉めることによって、引き締め効果を保持しつつ容易に着用することができる。
【００８６】
このようにして、ズボン・パンツやスカート等の衣服の下に着用するだけで十分に臀部の弛みを引き締めてヒップアップさせ、下着としての見栄えも損なうことがなく、かつ着用も容易な体形補整用下着となる。
【００８７】
請求項２２の発明にかかる体形補整用下着は、下着本体がガードル本体であり、体形補整用下着が女性用の体形補整用ガードルである。体形補整用下着としては、まだまだ女性用の需要が圧倒的に多い。そこで、ガードル本体を中心として、請求項１乃至請求項２１の発明にかかる体形補整用下着を女性用の体形補整用ガードルとすることによって、世の中の多くの女性の要求に答えることができる。
【発明を実施するための最良の形態】
【００８８】
以下、本発明の実施の形態について、図面を参照しつつ説明する。以下の実施の形態においては、体形補整用下着として女性用の体形補整用ガードルについて説明するが、ガードル本体をズボン下本体等とすることによって、同様の構成で男性用の体形補整用下着とすることができる。
【００８９】
実施の形態１
まず、本発明の実施の形態１にかかる体形補整用下着としての体形補整用ガードルについて、図１を参照して説明する。図１（ａ）は本発明の実施の形態１にかかる体形補整用ガードルの全体構成を示す正面図、（ｂ）は背面図である。
【００９０】
図１（ａ）に示されるように、本実施の形態１にかかる体形補整用ガードル１は、脚部２Ａ，２Ｂを有し伸縮性生地としてのサテンネット（ストレッチサテン）からなる下着本体としてのガードル本体２と、ガードル本体２の裏側の前中心２Ｃ上端から脚部２Ａ，２Ｂの付け根部分を巻いて左右対称に縫付けられた伸縮性生地としてのサテンネット（ストレッチサテン）からなる１対の第２ヨーク部材３Ａ，３Ｂとを具備し、第２ヨーク部材３Ａ，３Ｂは脚部２Ａ，２Ｂの前方まで突出している。ここで、１対の第２ヨーク部材３Ａ，３Ｂは引張り力を掛けながらガードル本体２の裏側に縫付けられている。
【００９１】
これによって、図１（ａ）に示されるように、着用者の腹部が第２ヨーク部材３Ａ，３Ｂの上部で締め付けられて引き締められるとともに、図１（ｂ）に示されるように、臀部が第２ヨーク部材３Ａ，３Ｂの下部で上方へ強力に引上げられてヒップの丸みが強調される。また、構造が簡単であるため製造が容易で安価なガードルとなる。さらに、第２ヨーク部材３Ａ，３Ｂはガードル本体２の裏側に縫付けられているため、ガードルとしての見栄えを損なうことがない。また、第２ヨーク部材３Ａ，３Ｂが普段鍛えられていない太もも内側の内転筋を締め付けるとともに引上げるため、着用して歩くだけで内転筋が鍛えられてシェイプアップされ、太ももをスリムにする効果をも具備する。
【００９２】
このようにして、本実施の形態１にかかる体形補整用ガードル１は、パンツやスカート等の衣服の下に着用するだけで十分に臀部及び腹部の弛みを引き締めて強力にヒップアップさせることができ、さらに着用して歩行するだけで内転筋が鍛えられて太ももがシェイプアップされて美しいプロポーションを得ることができ、製造が容易で安価となり、ガードルとしての見栄えも損なうことがない。
【００９３】
本実施の形態１においては、伸縮性生地としてサテンネット（ストレッチサテン）を使用した場合について説明したが、パワーネット、ストレッチレースを始めとして他の伸縮性生地を用いても良い。また、ガードル本体２と第２ヨーク部材３Ａ，３Ｂとを異なる種類の伸縮性生地から作製しても良い。
【００９４】
実施の形態２
次に、本発明の実施の形態２にかかる体形補整用ガードルについて、図２及び図３を参照して説明する。図２（ａ）は本発明の実施の形態２にかかる体形補整用ガードルの全体構成を示す正面図、（ｂ）は背面図である。図３（ａ）は本発明の実施の形態２の変形例にかかる体形補整用ガードルの全体構成を示す正面図、（ｂ）は背面図である。
【００９５】
図２（ｂ）に示されるように、本実施の形態２にかかる体形補整用ガードル５は、脚部２Ａ，２Ｂを有し伸縮性生地としてのパワーネットからなるガードル本体２と、ガードル本体２の臀部裏側に左右対称に縫付けられた伸縮性生地としてのパワーネットからなる１対の第１ヨーク部材６Ａ，６Ｂとを具備し、第１ヨーク部材６Ａ，６Ｂは上端がガードル本体２の上端に達しており、下方部分が拡がってガードル本体２の裏側の脚部２Ａ，２Ｂの後部付け根部分を覆うように縫付けられている。
【００９６】
さらに、図２（ａ）に示されるように、下方部分の内側の端がガードル本体２の股部分を巻いて脚部２Ａ，２Ｂの前部付け根部分にまで達している。ここで、１対の第１ヨーク部材６Ａ，６Ｂは引張り力を掛けながらガードル本体２の裏側に縫付けられている。
【００９７】
このように、第１ヨーク部材６Ａ，６Ｂはガードル本体２の裏側の脚部２Ａ，２Ｂの後部付け根部分を覆うように縫付けられており、上端がガードル本体２の上端に達しているので、着用者の臀部を上方へ引上げる働きをする。また、第１ヨーク部材６Ａ，６Ｂはガードル本体裏側に縫付けられているため、ガードルとしての見栄えを損なうことがない。しかも、構造が簡単であるため製造が容易で安価なガードルとなる。
【００９８】
さらに、第１ヨーク部材６Ａ，６Ｂの下方部分の内側端がガードル本体２の股部分を巻いて脚部２Ａ，２Ｂの前部付け根部分にまで達しているため、普段鍛えられていない太もも内側の内転筋を締め付けるとともに引上げ、着用して歩くだけで内転筋が鍛えられてシェイプアップされ、太ももをスリムにする効果をも具備する。
【００９９】
このようにして、本実施の形態２にかかる体形補整用ガードル５は、パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。
【０１００】
次に、本実施の形態２の変形例にかかる体形補整用ガードルについて、図３を参照して説明する。
【０１０１】
図３（ｂ）に示されるように、本実施の形態２の変形例にかかる体形補整用ガードル８は、構造的には上記の体形補整用ガードル５と殆ど同じである。異なるのは、図３（ａ）に示されるように、第１ヨーク部材６Ａ，６Ｂの下方部分の外側端がガードル本体２の裏側前方部分まで突出して縫付けられている点である。即ち、第１ヨーク部材６Ａ，６Ｂをガードル本体２の裏側に縫付ける際に、下方部分の外側端がガードル本体２の前方部分に突出するように引張りを加えながら縫付けられたものである。これによって、第１ヨーク部材６Ａ，６Ｂが着用者の臀部を上方へ引上げる働きが一層強化されて、十分に臀部の弛みを引き締めてヒップアップさせることができる。
【０１０２】
本実施の形態２においては、伸縮性生地としてパワーネットを使用した場合について説明したが、サテンネット（ストレッチサテン）、ストレッチレースを始めとして他の伸縮性生地を用いても良い。また、ガードル本体２と第１ヨーク部材６Ａ，６Ｂとを異なる種類の伸縮性生地から作製しても良い。
【０１０３】
実施の形態３
次に、本発明の実施の形態３にかかる体形補整用ガードルについて、図４を参照して説明する。図４（ａ）は本発明の実施の形態３にかかる体形補整用ガードルの全体構成を示す正面図、（ｂ）は背面図である。
【０１０４】
図４（ａ）に示されるように、本実施の形態３にかかる体形補整用ガードル１０は、脚部２Ａ，２Ｂを有し伸縮性生地としてのパワーネットからなるガードル本体２と、ガードル本体２の裏側の前中心２Ｃ上端から脚部２Ａ，２Ｂの付け根部分を巻いて左右対称に縫付けられた伸縮性生地としてのパワーネットからなる１対の第２ヨーク部材３Ａ，３Ｂとを具備し、第２ヨーク部材３Ａ，３Ｂは脚部２Ａ，２Ｂの前方まで大きく突出している。
【０１０５】
さらに、図４（ｂ）に示されるように、ガードル本体２の臀部裏側に左右対称に縫付けられた伸縮性生地としてのパワーネットからなる１対の第１ヨーク部材６Ａ，６Ｂをも具備し、第１ヨーク部材６Ａ，６Ｂは上端がガードル本体２の上端に達しており、下方部分が拡がってガードル本体２の裏側の脚部２Ａ，２Ｂの後部付け根部分を覆うように縫付けられ、下方部分の内側の端がガードル本体２の股部分を巻いて脚部２Ａ，２Ｂの前部付け根部分にまで達している。
【０１０６】
これによって、図４（ａ）に示されるように、着用者の腹部が第２ヨーク部材３Ａ，３Ｂの上部で締め付けられて引き締められるとともに、図４（ｂ）に示されるように、臀部が第２ヨーク部材３Ａ，３Ｂの下部で上方へ強力に引上げられてヒップの丸みが強調される。また、第１ヨーク部材６Ａ，６Ｂはガードル本体２の裏側の脚部２Ａ，２Ｂの後部付け根部分を覆うように縫付けられており、上端がガードル本体２の上端に達しているので、着用者の臀部を上方へ引上げる働きをする。
【０１０７】
さらに、第１ヨーク部材６Ａ，６Ｂの下方部分の内側端及び第２ヨーク部材３Ａ，３Ｂがガードル本体２の股部分を巻いて脚部２Ａ，２Ｂの前部付け根部分にまで大きく突出しているため、普段鍛えられていない太もも内側の内転筋が締め付けられるとともに引上げられ、着用して歩くだけで内転筋が鍛えられてシェイプアップされ、太ももをスリムにする効果をも具備する。また、第１ヨーク部材６Ａ，６Ｂ及び第２ヨーク部材３Ａ，３Ｂはガードル本体２の裏側に縫付けられているため、ガードルとしての見栄えを損なうことがない。
【０１０８】
このようにして、本実施の形態３にかかる体形補整用ガードル１０は、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。
【０１０９】
本実施の形態３においては、伸縮性生地としてパワーネットを使用した場合について説明したが、サテンネット（ストレッチサテン）、ストレッチレースを始めとして他の伸縮性生地を用いても良い。また、ガードル本体２と第１ヨーク部材６Ａ，６Ｂと第２ヨーク部材３Ａ，３Ｂとを異なる種類の伸縮性生地から作製しても良い。
【０１１０】
実施の形態４
次に、本発明の実施の形態４にかかる体形補整用ガードルについて、図５を参照して説明する。図５（ａ）は本発明の実施の形態４にかかる体形補整用ガードルの全体構成を示す正面図、（ｂ）は背面図である。
【０１１１】
図５（ａ）に示されるように、本実施の形態４にかかる体形補整用ガードル１２は、脚部２Ａ，２Ｂを有し伸縮性生地としてのパワーネットからなるガードル本体２と、その裏側の前中心２Ｃの上端から脚部２Ａ，２Ｂの付け根部分を巻いて左右対称に縫付けられた伸縮性生地としてのパワーネットからなる１対の第２ヨーク部材３Ａ，３Ｂと、ガードル本体２の裏側と第２ヨーク部材３Ａ，３Ｂとの間に挟み込まれ、両端をガードル本体２に縫付けられた伸縮性生地としてのサテンネット（ストレッチサテン）からなり、中間部分に各２対の枝部分１４を有する１対の引張り部材１３Ａ，１３Ｂを具備する。
【０１１２】
ここで、１対の引張り部材１３Ａ，１３Ｂは引張り力を掛けながらガードル本体２の裏側に上端、下端、及び枝部分１４が縫付けられ、１対の第２ヨーク部材３Ａ，３Ｂは引張り力を掛けない状態で、引張り部材１３Ａ，１３Ｂの上からガードル本体２の裏側に縫付けられる。
【０１１３】
これによって、着用者の腹部が第２ヨーク部材３Ａ，３Ｂの上部で締め付けられて引き締められるとともに、図５（ｂ）に示されるように、着用者の臀部が第２ヨーク部材３Ａ，３Ｂの下部で上方へ引上げられてヒップの丸みが強調され、また引張り部材１３Ａ，１３Ｂは上端と下端及び枝部分１４のみがガードル本体２に縫付けられているので、ヒップアップの効果が一層強化される。また、枝部分１４がガードル本体２に縫付けられているので、引張り部材１３Ａ，１３Ｂが捩れることがない。
【０１１４】
さらに、第２ヨーク部材３Ａ，３Ｂ及び引張り部材１３Ａ，１３Ｂが脚部２Ａ，２Ｂの付け根部分を巻いて脚部２Ａ，２Ｂの前方まで大きく突出していることによって、第２ヨーク部材３Ａ，３Ｂ及び引張り部材１３Ａ，１３Ｂが普段鍛えられていない太もも内側の内転筋を締め付けるとともに引上げるため、着用して歩くだけで内転筋が鍛えられてシェイプアップされ、太ももをスリムにする効果をも具備する。そして、第２ヨーク部材３Ａ，３Ｂ及び引張り部材１３Ａ，１３Ｂは、いずれもガードル本体２の裏側に縫付けられているため、ガードルとしての見栄えを損なうことはない。
【０１１５】
このようにして、本実施の形態４にかかる体形補整用ガードル１２は、ズボン・パンツやスカート等の衣服の下に着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。
【０１１６】
本実施の形態４においては、ガードル本体２と第２ヨーク部材３Ａ，３Ｂとをパワーネットで構成し、引張り部材１３Ａ，１３Ｂをサテンネット（ストレッチサテン）で構成した場合について説明したが、引張り部材１３Ａ，１３Ｂをパワーネットや他の伸縮性生地で構成しても良いし、ガードル本体２と第２ヨーク部材３Ａ，３Ｂを構成する伸縮性生地として、サテンネット（ストレッチサテン）、ストレッチレースを始めとする他の伸縮性生地を用いても良い。また、ガードル本体２と第２ヨーク部材３Ａ，３Ｂとを異なる種類の伸縮性生地から作製することもできる。
【０１１７】
実施の形態５
次に、本発明の実施の形態５にかかる体形補整用ガードルについて、図６及び図７を参照して説明する。図６（ａ）は本発明の実施の形態５にかかる体形補整用ガードルの全体構成を示す正面図、（ｂ）は背面図である。図７（ａ）は本発明の実施の形態５の変形例にかかる体形補整用ガードルの全体構成を示す正面図、（ｂ）は背面図である。
【０１１８】
図６（ｂ）に示されるように、本実施の形態５にかかる体形補整用ガードル１５は、脚部２Ａ，２Ｂを有し伸縮性生地としてのパワーネットからなるガードル本体２と、その臀部裏側に左右対称に縫付けられた伸縮性生地としてのパワーネットからなる１対の第１ヨーク部材６Ａ，６Ｂと、ガードル本体２の裏側と第１ヨーク部材６Ａ，６Ｂとの間に挟み込まれ、上端と下端とをガードル本体２に縫付けられた伸縮性生地としてのサテンネット（ストレッチサテン）からなり、中間部分に各２対の枝部分１７を有する１対の引張り部材１６Ａ，１６Ｂを具備し、第１ヨーク部材６Ａ，６Ｂ及び引張り部材１６Ａ，１６Ｂは上端がガードル本体２の上端に達し、下方部分が拡がってガードル本体２裏側の脚部２Ａ，２Ｂの後部付け根部分を覆うように縫付けられている。
【０１１９】
ここで、１対の引張り部材１６Ａ，１６Ｂは引張り力を掛けながらガードル本体２の裏側に上端、下端、及び枝部分１７が縫付けられ、１対の第１ヨーク部材６Ａ，６Ｂは引張り力を掛けない状態で、引張り部材１６Ａ，１６Ｂの上からガードル本体２の裏側に縫付けられる。
【０１２０】
第１ヨーク部材６Ａ，６Ｂはガードル本体２裏側の脚部２Ａ，２Ｂの後部付け根部分を覆うように縫付けられており、上端がガードル本体２の上端に達しているので、着用者の臀部を上方へ引上げる働きをする。また、引張り部材１６Ａ，１６Ｂは上端と下端及び枝部分１７のみがガードル本体２に縫付けられているので、ヒップアップの効果が一層強化される。また、枝部分１７がガードル本体２に縫付けられているので、引張り部材１６Ａ，１６Ｂが捩れることがない。
【０１２１】
さらに、第１ヨーク部材６Ａ，６Ｂ及び引張り部材１６Ａ，１６Ｂは下方部分の内側の端がガードル本体２の股部分を巻いて脚部２Ａ，２Ｂの前部付け根部分にまで達し、脚部２Ａ，２Ｂの前部裏側に大きく突出している。これによって、第１ヨーク部材６Ａ，６Ｂ及び引張り部材１６Ａ，１６Ｂが普段鍛えられていない太もも内側の内転筋を締め付けるとともに引上げるため、着用して歩くだけで内転筋が鍛えられてシェイプアップされ、太ももをスリムにする効果をも具備する。
【０１２２】
このようにして、本実施の形態５にかかる体形補整用ガードル１５は、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。
【０１２３】
次に、本実施の形態５の変形例にかかる体形補整用ガードルについて、図７を参照して説明する。
【０１２４】
図７（ｂ）に示されるように、本実施の形態５の変形例にかかる体形補整用ガードル２０は、構造的には上記の体形補整用ガードル１５と殆ど同じである。異なるのは、図７（ａ）に示されるように、第１ヨーク部材６Ａ，６Ｂ及び引張り部材１６Ａ，１６Ｂの下方部分の外側端がガードル本体２の裏側前方部分まで突出して縫付けられている点である。即ち、第１ヨーク部材６Ａ，６Ｂ及び引張り部材１６Ａ，１６Ｂをガードル本体２の裏側に縫付ける際に、下方部分の外側端がガードル本体２の前方部分に突出するように引張りを加えながら縫付けられたものである。これによって、第１ヨーク部材６Ａ，６Ｂ及び引張り部材１６Ａ，１６Ｂが着用者の臀部を上方へ引上げる働きが一層強化されて、十分に臀部の弛みを引き締めてヒップアップさせることができる。
【０１２５】
本実施の形態５においては、ガードル本体２と第１ヨーク部材６Ａ，６Ｂとをパワーネットで構成し、引張り部材１６Ａ，１６Ｂをサテンネット（ストレッチサテン）で構成した場合について説明したが、引張り部材１６Ａ，１６Ｂをパワーネットや他の伸縮性生地で構成しても良いし、ガードル本体２と第１ヨーク部材６Ａ，６Ｂを構成する伸縮性生地として、サテンネット（ストレッチサテン）、ストレッチレースを始めとする他の伸縮性生地を用いても良い。また、ガードル本体２と第１ヨーク部材６Ａ，６Ｂとを異なる種類の伸縮性生地から作製することもできる。
【０１２６】
実施の形態６
次に、本発明の実施の形態６にかかる体形補整用ガードルについて、図８を参照して説明する。図８（ａ）は本発明の実施の形態６にかかる体形補整用ガードルの全体構成を示す正面図、（ｂ）は背面図である。
【０１２７】
図８（ａ）に示されるように、本実施の形態６にかかる体形補整用ガードル２２は、脚部２Ａ，２Ｂを有し伸縮性生地としてのパワーネットからなるガードル本体２と、その裏側の前中心２Ｃの上端から脚部２Ａ，２Ｂの付け根部分を巻いて左右対称に縫付けられた伸縮性生地としてのパワーネットからなる１対の第２ヨーク部材３Ａ，３Ｂと、ガードル本体２の裏側と第２ヨーク部材３Ａ，３Ｂとの間に挟み込まれ、両端をガードル本体２に縫付けられた伸縮性生地としてのサテンネット（ストレッチサテン）からなり、中間部分に各２対の枝部分１４を有する１対の引張り部材１３Ａ，１３Ｂを具備する。
【０１２８】
ここで、１対の引張り部材１３Ａ，１３Ｂは引張り力を掛けながらガードル本体２の裏側に上端、下端、及び枝部分１４が縫付けられ、１対の第２ヨーク部材３Ａ，３Ｂは引張り力を掛けない状態で、引張り部材１３Ａ，１３Ｂの上からガードル本体２の裏側に縫付けられる。
【０１２９】
これによって、着用者の腹部が第２ヨーク部材３Ａ，３Ｂの上部で締め付けられて引き締められるとともに、図８（ｂ）に示されるように、着用者の臀部が第２ヨーク部材３Ａ，３Ｂの下部で上方へ引上げられてヒップの丸みが強調され、また引張り部材１３Ａ，１３Ｂは上端と下端及び枝部分１４のみがガードル本体２の裏側に縫付けられているので、ヒップアップの効果が一層強化される。また、枝部分１４がガードル本体２に縫付けられているので、引張り部材１３Ａ，１３Ｂが捩れることがない。
【０１３０】
さらに、図８（ｂ）に示されるように、ガードル本体２の臀部裏側に左右対称に縫付けられた伸縮性生地としてのパワーネットからなる１対の第１ヨーク部材６Ａ，６Ｂと、ガードル本体２の裏側と第１ヨーク部材６Ａ，６Ｂとの間に挟み込まれ、上端と下端とをガードル本体２に縫付けられた伸縮性生地としてのサテンネット（ストレッチサテン）からなり、中間部分に各２対の枝部分１７を有する１対の引張り部材１６Ａ，１６Ｂを具備し、第１ヨーク部材６Ａ，６Ｂ及び引張り部材１６Ａ，１６Ｂは上端がガードル本体２の上端に達し、下方部分が拡がってガードル本体２裏側の脚部２Ａ，２Ｂの後部付け根部分を覆うように縫付けられている。
【０１３１】
ここで、１対の引張り部材１６Ａ，１６Ｂは引張り力を掛けながらガードル本体２の裏側に上端、下端、及び枝部分１７が縫付けられ、１対の第１ヨーク部材６Ａ，６Ｂは引張り力を掛けない状態で、引張り部材１６Ａ，１６Ｂの上からガードル本体２の裏側に縫付けられる。
【０１３２】
これによって、第１ヨーク部材６Ａ，６Ｂは着用者の臀部を上方へ引上げる働きをし、引張り部材１６Ａ，１６Ｂは上端と下端及び枝部分１７のみがガードル本体２に縫付けられているので、ヒップアップの効果が一層強化される。また、枝部分１７がガードル本体２に縫付けられているので、引張り部材１６Ａ，１６Ｂが捩れることがない。
【０１３３】
さらに、第１ヨーク部材６Ａ，６Ｂ、第２ヨーク部材３Ａ，３Ｂ、引張り部材１３Ａ，１３Ｂ及び引張り部材１６Ａ，１６Ｂは下方部分の内側の端がガードル本体２の股部分を巻いて脚部２Ａ，２Ｂの前部付け根部分にまで達し、脚部２Ａ，２Ｂの前部裏側に大きく突出している。これによって、第１ヨーク部材６Ａ，６Ｂ、第２ヨーク部材３Ａ，３Ｂ、引張り部材１３Ａ，１３Ｂ及び引張り部材１６Ａ，１６Ｂが普段鍛えられていない太もも内側の内転筋を締め付けるとともに引上げるため、着用して歩くだけで内転筋が鍛えられてシェイプアップされ、太ももをスリムにする効果をも具備する。
【０１３４】
このようにして、本実施の形態６にかかる体形補整用ガードル２２は、ズボン・パンツやスカート等の衣服の下に着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。
【０１３５】
本実施の形態６においては、ガードル本体２と第１ヨーク部材６Ａ，６Ｂと第２ヨーク部材３Ａ，３Ｂをパワーネットで構成し、引張り部材１３Ａ，１３Ｂ及び引張り部材１６Ａ，１６Ｂをサテンネット（ストレッチサテン）で構成した場合について説明したが、引張り部材１３Ａ，１３Ｂ及び引張り部材１６Ａ，１６Ｂをパワーネットや他の伸縮性生地で構成しても良いし、ガードル本体２と第１ヨーク部材６Ａ，６Ｂと第２ヨーク部材３Ａ，３Ｂを構成する伸縮性生地として、サテンネット（ストレッチサテン）、ストレッチレースを始めとする他の伸縮性生地を用いても良い。また、ガードル本体２と第１ヨーク部材６Ａ，６Ｂと第２ヨーク部材３Ａ，３Ｂとを異なる種類の伸縮性生地から作製することもできる。
【０１３６】
実施の形態７
次に、本発明の実施の形態７にかかる体形補整用ガードルについて、図９及び図１０を参照して説明する。図９（ａ）は本発明の実施の形態７にかかる体形補整用ガードルの全体構成を示す正面図、（ｂ）は背面図である。図１０（ａ）は本発明の実施の形態７の変形例にかかる体形補整用ガードルの全体構成を示す正面図、（ｂ）は背面図である。
【０１３７】
図９（ａ）に示されるように、本実施の形態７にかかる体形補整用ガードル２５は、脚部２Ａ，２Ｂを有し伸縮性生地としてのパワーネットからなるガードル本体２と、その裏側の前中心２Ｃの中間部分から離れた位置から脚部２Ａ，２Ｂの付け根部分を巻いて左右対称に縫付けられた伸縮性生地としてのパワーネットからなる１対の短めの第２ヨーク部材２６Ａ，２６Ｂと、ガードル本体２の裏側と第２ヨーク部材２６Ａ，２６Ｂとの間に挟み込まれ、両端をガードル本体２に縫付けられた伸縮性生地としてのサテンネット（ストレッチサテン）からなり、中間部分に各１対の枝部分２８を有する１対の引張り部材２７Ａ，２７Ｂを具備する。
【０１３８】
ここで、１対の引張り部材２７Ａ，２７Ｂは引張り力を掛けながらガードル本体２の裏側に上端、下端、及び枝部分２８が縫付けられ、１対の第２ヨーク部材２６Ａ，２６Ｂは引張り力を掛けない状態で、引張り部材２７Ａ，２７Ｂの上からガードル本体２の裏側に縫付けられる。
【０１３９】
これによって、図９（ｂ）に示されるように、着用者の臀部が第２ヨーク部材２６Ａ，２６Ｂの下部で上方へ引上げられてヒップの丸みが強調され、また引張り部材２７Ａ，２７Ｂは上端と下端及び枝部分２８のみがガードル本体２に縫付けられているので、ヒップアップの効果が一層強化される。また、枝部分２８がガードル本体２に縫付けられているので、引張り部材２７Ａ，２７Ｂが捩れることがない。
【０１４０】
さらに、第２ヨーク部材２６Ａ，２６Ｂ及び引張り部材２７Ａ，２７Ｂが脚部２Ａ，２Ｂの付け根部分を巻いて脚部２Ａ，２Ｂの前方まで大きく突出していることによって、第２ヨーク部材２６Ａ，２６Ｂ及び引張り部材２７Ａ，２７Ｂが普段鍛えられていない太もも内側の内転筋を締め付けるとともに引上げるため、着用して歩くだけで内転筋が鍛えられてシェイプアップされ、太ももをスリムにする効果をも具備する。そして、第２ヨーク部材２６Ａ，２６Ｂ及び引張り部材２７Ａ，２７Ｂは、いずれもガードル本体２の裏側に縫付けられているため、ガードルとしての見栄えを損なうことはない。
【０１４１】
このようにして、本実施の形態７にかかる体形補整用ガードル２５は、ズボン・パンツやスカート等の衣服の下に着用するだけで十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。
【０１４２】
次に、本実施の形態７の変形例にかかる体形補整用ガードルについて、図１０を参照して説明する。
【０１４３】
図１０（ｂ）に示されるように、本実施の形態７の変形例にかかる体形補整用ガードル３０は、構造的には上記の体形補整用ガードル２５に、さらにガードル本体２の臀部裏側に左右対称に縫付けられた伸縮性生地としてのパワーネットからなる１対の第１ヨーク部材６Ａ，６Ｂと、ガードル本体２の裏側と第１ヨーク部材６Ａ，６Ｂとの間に挟み込まれ、上端と下端とをガードル本体２に縫付けられた伸縮性生地としてのサテンネット（ストレッチサテン）からなり、中間部分に各２対の枝部分１７を有する１対の引張り部材１６Ａ，１６Ｂとを追加したものである。そして、第１ヨーク部材６Ａ，６Ｂ及び引張り部材１６Ａ，１６Ｂは上端がガードル本体２の上端に達し、下方部分が拡がってガードル本体２裏側の脚部２Ａ，２Ｂの後部付け根部分を覆うように縫付けられている。
【０１４４】
これによって、本実施の形態７の変形例にかかる体形補整用ガードル３０は、上記の体形補整用ガードル２５が有する作用効果に加えて、第１ヨーク部材６Ａ，６Ｂが着用者の臀部を上方へ引上げる働きをし、引張り部材１６Ａ，１６Ｂが上端と下端及び枝部分１７のみがガードル本体２に縫付けられているので、ヒップアップの効果が一層強化される。
【０１４５】
本実施の形態７においては、ガードル本体２と第２ヨーク部材２６Ａ，２６Ｂと第１ヨーク部材６Ａ，６Ｂをパワーネットで構成し、引張り部材１６Ａ，１６Ｂ及び引張り部材２７Ａ，２７Ｂをサテンネット（ストレッチサテン）で構成した場合について説明したが、引張り部材１６Ａ，１６Ｂ及び引張り部材２７Ａ，２７Ｂをパワーネットや他の伸縮性生地で構成しても良いし、ガードル本体２と第２ヨーク部材２６Ａ，２６Ｂと第１ヨーク部材６Ａ，６Ｂを構成する伸縮性生地として、サテンネット（ストレッチサテン）、ストレッチレースを始めとする他の伸縮性生地を用いても良い。また、ガードル本体２と第２ヨーク部材２６Ａ，２６Ｂと第１ヨーク部材６Ａ，６Ｂとを異なる種類の伸縮性生地から作製することもできる。
【０１４６】
実施の形態８
次に、本発明の実施の形態８にかかる体形補整用ガードルについて、図１１を参照して説明する。図１１（ａ）は本発明の実施の形態８にかかる体形補整用ガードルの全体構成を示す正面図、（ｂ）は背面図である。
【０１４７】
図１１に示されるように、本実施の形態８にかかる体形補整用ガードル３２は、上記実施の形態１〜実施の形態７とは異なり、ガードル本体２の表側に各部材が縫付けられている。即ち、脚部２Ａ，２Ｂを有し伸縮性生地としてのパワーネットからなるガードル本体２と、その表側の前中心２Ｃの上端から脚部２Ａ，２Ｂの付け根部分を巻いて左右対称に縫付けられた伸縮性生地としてのストレッチレースからなる１対の第２ヨーク部材３３Ａ，３３Ｂと、ガードル本体２の表側と第２ヨーク部材３３Ａ，３３Ｂとの間に挟み込まれ、両端をガードル本体２に縫付けられた伸縮性生地としてのサテンネット（ストレッチサテン）からなり、中間部分に各２対の枝部分１４を有する１対の引張り部材１３Ａ，１３Ｂとを具備する。
【０１４８】
ここで、１対の引張り部材１３Ａ，１３Ｂは引張り力を掛けながらガードル本体２の表側に上端、下端、及び枝部分１４が縫付けられ、１対の第２ヨーク部材３３Ａ，３３Ｂは引張り力を掛けない状態で、引張り部材１３Ａ，１３Ｂの上からガードル本体２の表側に縫付けられる。
【０１４９】
これによって、着用者の腹部が第２ヨーク部材３３Ａ，３３Ｂ及び引張り部材１３Ａ，１３Ｂの上部で締め付けられて引き締められるとともに、図１１（ｂ）に示されるように、着用者の臀部が第２ヨーク部材３３Ａ，３３Ｂの下部で上方へ引上げられてヒップの丸みが強調され、また引張り部材１３Ａ，１３Ｂは上端と下端及び枝部分１４のみがガードル本体２に縫付けられているので、ヒップアップの効果が一層強化される。また、枝部分１４がガードル本体２に縫付けられているので、引張り部材１３Ａ，１３Ｂが捩れることがない。
【０１５０】
さらに、第２ヨーク部材３３Ａ，３３Ｂ及び引張り部材１３Ａ，１３Ｂが脚部２Ａ，２Ｂの付け根部分を巻いて脚部２Ａ，２Ｂの前方まで大きく突出していることによって、第２ヨーク部材３３Ａ，３３Ｂ及び引張り部材１３Ａ，１３Ｂが普段鍛えられていない太もも内側の内転筋を締め付けるとともに引上げるため、着用して歩くだけで内転筋が鍛えられてシェイプアップされ、太ももをスリムにする効果をも具備する。そして、第２ヨーク部材３３Ａ，３３Ｂはストレッチレースからなり、装飾的な役割も果たし、引張り部材１３Ａ，１３Ｂは第２ヨーク部材３３Ａ，３３Ｂの下に覆い隠されているため、ガードルとしての見栄えを損なうことはない。
【０１５１】
このようにして、本実施の形態８にかかる体形補整用ガードル３２は、ズボン・パンツやスカート等の衣服の下に着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。また、ガードル本体２の裏側には何も縫付けられないため、着用感が一段と向上する。
【０１５２】
本実施の形態８においては、ガードル本体２をパワーネットで構成し、第２ヨーク部材３３Ａ，３３Ｂをストレッチレースで構成し、引張り部材１３Ａ，１３Ｂをサテンネット（ストレッチサテン）で構成した場合について説明したが、引張り部材１３Ａ，１３Ｂをパワーネットや他の伸縮性生地で構成しても良いし、ガードル本体２を構成する伸縮性生地として、サテンネット（ストレッチサテン）、ストレッチレースを始めとする他の伸縮性生地を用いても良い。
【０１５３】
実施の形態９
次に、本発明の実施の形態９にかかる体形補整用ガードルについて、図１２を参照して説明する。図１２（ａ）は本発明の実施の形態９にかかる体形補整用ガードルの全体構成を示す正面図、（ｂ）は背面図である。
【０１５４】
図１２（ｂ）に示されるように、本実施の形態９にかかる体形補整用ガードル３５は、脚部２Ａ，２Ｂを有し伸縮性生地としてのパワーネットからなるガードル本体２と、その臀部表側に左右対称に縫付けられた伸縮性生地としてのストレッチレースからなる１対の第１ヨーク部材３７Ａ，３７Ｂと、ガードル本体２の表側と第１ヨーク部材３７Ａ，３７Ｂとの間に挟み込まれ、上端と下端とをガードル本体２に縫付けられた伸縮性生地としてのサテンネット（ストレッチサテン）からなり、中間部分に各２対の枝部分１７を有する１対の引張り部材１６Ａ，１６Ｂを具備する。
【０１５５】
そして、第１ヨーク部材３７Ａ，３７Ｂ及び引張り部材１６Ａ，１６Ｂは上端がガードル本体２の上端に達し、下方部分が拡がってガードル本体２表側の脚部２Ａ，２Ｂの後部付け根部分を覆うように縫付けられている。ここで、１対の引張り部材１６Ａ，１６Ｂは引張り力を掛けながらガードル本体２の表側に上端、下端、及び枝部分１７が縫付けられ、１対の第１ヨーク部材３７Ａ，３７Ｂは引張り力を掛けない状態で、引張り部材１６Ａ，１６Ｂの上からガードル本体２の表側に縫付けられる。
【０１５６】
また、図１２（ａ）に示されるように、ガードル本体２の前中心２Ｃを中心とする表側には、ストレッチレースからなる略菱形の腹当て部材３６が縫付けられている。これによって、着用者の腹部が引き締められる。
【０１５７】
第１ヨーク部材３７Ａ，３７Ｂはガードル本体２表側の脚部２Ａ，２Ｂの後部付け根部分を覆うように縫付けられており、上端がガードル本体２の上端に達しているので、着用者の臀部を上方へ引上げる働きをする。また、引張り部材１６Ａ，１６Ｂは上端と下端及び枝部分１７のみがガードル本体２に縫付けられているので、ヒップアップの効果が一層強化される。また、枝部分１７がガードル本体２に縫付けられているので、引張り部材１６Ａ，１６Ｂが捩れることがない。
【０１５８】
さらに、第１ヨーク部材３７Ａ，３７Ｂ及び引張り部材１６Ａ，１６Ｂは下方部分の内側の端がガードル本体２の股部分を巻いて脚部２Ａ，２Ｂの前部付け根部分にまで達し、脚部２Ａ，２Ｂの前部裏側に大きく突出している。これによって、第１ヨーク部材３７Ａ，３７Ｂ及び引張り部材１６Ａ，１６Ｂが普段鍛えられていない太もも内側の内転筋を締め付けるとともに引上げるため、着用して歩くだけで内転筋が鍛えられてシェイプアップされ、太ももをスリムにする効果をも具備する。
【０１５９】
そして、表側から見える腹当て部材３６、第１ヨーク部材３７Ａ，３７Ｂは全てストレッチレースからなるため、装飾的効果をも有し、ガードルとしての見栄えを損ねることはない。
【０１６０】
このようにして、本実施の形態９にかかる体形補整用ガードル３５は、ズボン・パンツやスカート等の衣服の下に着用するだけで十分に腹部及び臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。また、ガードル本体２の裏側には何も縫付けられないため、着用感が一段と向上する。
【０１６１】
本実施の形態９においては、ガードル本体２をパワーネットで構成し、第１ヨーク部材３７Ａ，３７Ｂをストレッチレースで構成し、引張り部材１６Ａ，１６Ｂをサテンネット（ストレッチサテン）で構成した場合について説明したが、引張り部材１６Ａ，１６Ｂをパワーネットや他の伸縮性生地で構成しても良いし、ガードル本体２を構成する伸縮性生地として、サテンネット（ストレッチサテン）、ストレッチレースを始めとする他の伸縮性生地を用いても良い。
【０１６２】
実施の形態１０
次に、本発明の実施の形態１０にかかる体形補整用ガードルについて、図１３を参照して説明する。図１３（ａ）は本発明の実施の形態１０にかかる体形補整用ガードルの全体構成を示す正面図、（ｂ）は背面図である。
【０１６３】
図１３（ａ）に示されるように、本実施の形態１０にかかる体形補整用ガードル４０は、脚部２Ａ，２Ｂを有し伸縮性生地としてのパワーネットからなるガードル本体２と、その表側の前中心２Ｃの上端から脚部２Ａ，２Ｂの付け根部分を巻いて左右対称に縫付けられた伸縮性生地としてのストレッチレースからなる１対の第２ヨーク部材３３Ａ，３３Ｂと、ガードル本体２の表側と第２ヨーク部材３３Ａ，３３Ｂとの間に挟み込まれ、両端をガードル本体２の表側に縫付けられた伸縮性生地としてのサテンネット（ストレッチサテン）からなり、中間部分に各２対の枝部分１４を有する１対の引張り部材１３Ａ，１３Ｂを具備している。
【０１６４】
ここで、１対の引張り部材１３Ａ，１３Ｂは引張り力を掛けながらガードル本体２の表側に上端、下端、及び枝部分１４が縫付けられ、１対の第２ヨーク部材３３Ａ，３３Ｂは引張り力を掛けない状態で、引張り部材１３Ａ，１３Ｂの上からガードル本体２の表側に縫付けられる。
【０１６５】
これによって、着用者の腹部が第２ヨーク部材３３Ａ，３３Ｂ及び引張り部材１３Ａ，１３Ｂの上部で締め付けられて引き締められるとともに、図１３（ｂ）に示されるように、着用者の臀部が第２ヨーク部材３３Ａ，３３Ｂの下部で上方へ引上げられてヒップの丸みが強調され、また引張り部材１３Ａ，１３Ｂは上端と下端及び枝部分１４のみがガードル本体２の表側に縫付けられているので、ヒップアップの効果が一層強化される。また、枝部分１４がガードル本体２に縫付けられているので、引張り部材１３Ａ，１３Ｂが捩れることがない。
【０１６６】
さらに、図１３（ｂ）に示されるように、ガードル本体２の臀部表側に左右対称に縫付けられた伸縮性生地としてのストレッチレースからなる１対の第１ヨーク部材３７Ａ，３７Ｂと、ガードル本体２の表側と第１ヨーク部材３７Ａ，３７Ｂとの間に挟み込まれ、上端と下端とをガードル本体２に縫付けられた伸縮性生地としてのサテンネット（ストレッチサテン）からなり、中間部分に各２対の枝部分１７を有する１対の引張り部材１６Ａ，１６Ｂを具備し、第１ヨーク部材３７Ａ，３７Ｂ及び引張り部材１６Ａ，１６Ｂは上端がガードル本体２の上端に達し、下方部分が拡がってガードル本体２表側の脚部２Ａ，２Ｂの後部付け根部分を覆うように縫付けられている。
【０１６７】
ここで、１対の引張り部材１６Ａ，１６Ｂは引張り力を掛けながらガードル本体２の表側に上端、下端、及び枝部分１７が縫付けられ、１対の第１ヨーク部材３７Ａ，３７Ｂは引張り力を掛けない状態で、引張り部材１６Ａ，１６Ｂの上からガードル本体２の表側に縫付けられる。
【０１６８】
これによって、第１ヨーク部材３７Ａ，３７Ｂは着用者の臀部を上方へ引上げる働きをし、引張り部材１６Ａ，１６Ｂは上端と下端及び枝部分１７のみがガードル本体２に縫付けられているので、ヒップアップの効果が一層強化される。また、枝部分１７がガードル本体２に縫付けられているので、引張り部材１６Ａ，１６Ｂが捩れることがない。
【０１６９】
さらに、第１ヨーク部材３７Ａ，３７Ｂ、第２ヨーク部材３３Ａ，３３Ｂ、引張り部材１３Ａ，１３Ｂ及び引張り部材１６Ａ，１６Ｂは下方部分の内側の端がガードル本体２の股部分を巻いて脚部２Ａ，２Ｂの前部付け根部分にまで達し、脚部２Ａ，２Ｂの前部表側に大きく突出している。これによって、第１ヨーク部材３７Ａ，３７Ｂ、第２ヨーク部材３３Ａ，３３Ｂ、引張り部材１３Ａ，１３Ｂ及び引張り部材１６Ａ，１６Ｂが普段鍛えられていない太もも内側の内転筋を締め付けるとともに引上げるため、着用して歩くだけで内転筋が鍛えられてシェイプアップされ、太ももをスリムにする効果をも具備する。
【０１７０】
そして、表側から見える第１ヨーク部材３７Ａ，３７Ｂ、第２ヨーク部材３３Ａ，３３Ｂは全てストレッチレースからなるため、装飾的効果をも有し、ガードルとしての見栄えを損ねることはない。
【０１７１】
このようにして、本実施の形態１０にかかる体形補整用ガードル４０は、ズボン・パンツやスカート等の衣服の下に着用するだけで十分に腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。また、ガードル本体２の裏側には何も縫付けられないため、着用感が一段と向上する。
【０１７２】
本実施の形態１０においては、ガードル本体２をパワーネットで構成し、第１ヨーク部材３７Ａ，３７Ｂと第２ヨーク部材３３Ａ，３３Ｂをストレッチレースで構成し、引張り部材１３Ａ，１３Ｂ及び引張り部材１６Ａ，１６Ｂをサテンネット（ストレッチサテン）で構成した場合について説明したが、引張り部材１３Ａ，１３Ｂ及び引張り部材１６Ａ，１６Ｂをパワーネットや他の伸縮性生地で構成しても良いし、ガードル本体２を構成する伸縮性生地として、サテンネット（ストレッチサテン）、ストレッチレースを始めとする他の伸縮性生地を用いても良い。
【０１７３】
実施の形態１１
次に、本発明の実施の形態１１にかかる体形補整用ガードルについて、図１４及び図１５を参照して説明する。図１４（ａ）は本発明の実施の形態１１にかかる体形補整用ガードルの全体構成を示す正面図、（ｂ）は背面図である。図１５（ａ）は本発明の実施の形態１１の変形例にかかる体形補整用ガードルの全体構成を示す正面図、（ｂ）は背面図である。
【０１７４】
図１４（ａ）に示されるように、本実施の形態１１にかかる体形補整用ガードル４２は、脚部２Ａ，２Ｂを有し伸縮性生地としてのパワーネットからなるガードル本体２と、その表側の前中心２Ｃの中間部分から離れた位置から脚部２Ａ，２Ｂの付け根部分を巻いて左右対称に縫付けられた伸縮性生地としてのサテンネット（ストレッチサテン）からなる１対の短めの第２ヨーク部材４４Ａ，４４Ｂと、ガードル本体２の表側と第２ヨーク部材４４Ａ，４４Ｂとの間に挟み込まれ、両端をガードル本体２に縫付けられた伸縮性生地としてのサテンネット（ストレッチサテン）からなり、中間部分に各１対の枝部分２８を有する１対の引張り部材２７Ａ，２７Ｂを具備する。
【０１７５】
ここで、１対の引張り部材２７Ａ，２７Ｂは引張り力を掛けながらガードル本体２の表側に上端、下端、及び枝部分２８が縫付けられ、１対の第２ヨーク部材４４Ａ，４４Ｂは引張り力を掛けない状態で、引張り部材２７Ａ，２７Ｂの上からガードル本体２の表側に縫付けられる。
【０１７６】
これによって、図１４（ｂ）に示されるように、着用者の臀部が第２ヨーク部材４４Ａ，４４Ｂの下部で上方へ引上げられてヒップの丸みが強調され、また引張り部材２７Ａ，２７Ｂは上端と下端及び枝部分２８のみがガードル本体２に縫付けられているので、ヒップアップの効果が一層強化される。また、枝部分２８がガードル本体２に縫付けられているので、引張り部材２７Ａ，２７Ｂが捩れることがない。
【０１７７】
また、図１４（ａ）に示されるように、ガードル本体２の前中心２Ｃを中心とする表側には、ストレッチレースからなる略菱形の腹当て部材４３が縫付けられている。これによって、着用者の腹部が引き締められる。
【０１７８】
さらに、第２ヨーク部材４４Ａ，４４Ｂ及び引張り部材２７Ａ，２７Ｂが脚部２Ａ，２Ｂの付け根部分を巻いて脚部２Ａ，２Ｂの前方まで大きく突出していることによって、第２ヨーク部材４４Ａ，４４Ｂ及び引張り部材２７Ａ，２７Ｂが普段鍛えられていない太もも内側の内転筋を締め付けるとともに引上げるため、着用して歩くだけで内転筋が鍛えられてシェイプアップされ、太ももをスリムにする効果をも具備する。
【０１７９】
そして、表から見える第２ヨーク部材４４Ａ，４４Ｂ及び腹当て部材４３は、いずれもストレッチレースからなるため、装飾的効果をも有し、ガードルとしての見栄えを損なうことはない。
【０１８０】
このようにして、本実施の形態１１にかかる体形補整用ガードル４２は、ズボン・パンツやスカート等の衣服の下に着用するだけで十分に腹部及び臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。また、ガードル本体２の裏側には何も縫付けられないため、着用感が一段と向上する。
【０１８１】
次に、本実施の形態１１の変形例にかかる体形補整用ガードルについて、図１５を参照して説明する。
【０１８２】
図１５（ｂ）に示されるように、本実施の形態１１の変形例にかかる体形補整用ガードル４５は、構造的には上記の体形補整用ガードル４２に、さらにガードル本体２の臀部表側に左右対称に縫付けられた伸縮性生地としてのストレッチレースからなる１対の第１ヨーク部材３７Ａ，３７Ｂと、ガードル本体２の表側と第１ヨーク部材３７Ａ，３７Ｂとの間に挟み込まれ、上端と下端とをガードル本体２に縫付けられた伸縮性生地としてのサテンネット（ストレッチサテン）からなり、中間部分に各２対の枝部分１７を有する１対の引張り部材１６Ａ，１６Ｂとを追加したものである。
【０１８３】
そして、第１ヨーク部材３７Ａ，３７Ｂ及び引張り部材１６Ａ，１６Ｂは上端がガードル本体２の上端に達し、下方部分が拡がってガードル本体２表側の脚部２Ａ，２Ｂの後部付け根部分を覆うように縫付けられている。ここで、１対の引張り部材１６Ａ，１６Ｂは引張り力を掛けながらガードル本体２の表側に上端、下端、及び枝部分１７が縫付けられ、１対の第１ヨーク部材３７Ａ，３７Ｂは引張り力を掛けない状態で、引張り部材１６Ａ，１６Ｂの上からガードル本体２の表側に縫付けられる。
【０１８４】
これによって、本実施の形態１１の変形例にかかる体形補整用ガードル４５は、上記の体形補整用ガードル４２が有する作用効果に加えて、第１ヨーク部材３７Ａ，３７Ｂが着用者の臀部を上方へ引上げる働きをし、引張り部材１６Ａ，１６Ｂが上端と下端及び枝部分１７のみがガードル本体２に縫付けられているので、ヒップアップの効果が一層強化される。
【０１８５】
本実施の形態１１においては、ガードル本体２をパワーネットで構成し、第１ヨーク部材３７Ａ，３７Ｂと第２ヨーク部材４４Ａ，４４Ｂ及び腹当て部材４３をストレッチレースで構成し、引張り部材２７Ａ，２７Ｂ及び引張り部材１６Ａ，１６Ｂをサテンネット（ストレッチサテン）で構成した場合について説明したが、引張り部材２７Ａ，２７Ｂ及び引張り部材１６Ａ，１６Ｂをパワーネットや他の伸縮性生地で構成しても良いし、ガードル本体２を構成する伸縮性生地として、サテンネット（ストレッチサテン）、ストレッチレースを始めとする他の伸縮性生地を用いても良い。
【０１８６】
ここで、上記実施の形態１０にかかる体形補整用ガードル４０のように、股下部の突出部分が前から見て略四角形に見える場合（図１３（ａ））と上記実施の形態１１の変形例にかかる体形補整用ガードル４５のように、股下部の突出部分が前から見て略三角形に見える場合（図１５（ａ））との違いについて、図１６を参照して説明する。図１６（ａ）は体形補整用ガードル４０を股下から見たところを示す底面図、（ｂ）は体形補整用ガードル４５を股下から見たところを示す底面図、（ｃ）は体形補整用ガードル４０の変形例である体形補整用ガードル４０Ａを股下から見たところを示す底面図である。
【０１８７】
図１６（ａ）に示されるように、体形補整用ガードル４０の股下部分は、第１ヨーク部材３７Ａ，３７Ｂが第２ヨーク部材３３Ａ，３３Ｂの下に隠れて見えない状態にあり、第２ヨーク部材３３Ａ，３３Ｂの前中心２Ａよりの部分は鋭角に尖った形状をしている。そして、１対の第２ヨーク部材３３Ａ，３３Ｂの間にマチ３８が縫付けられている。これを正面から見ると、図１３（ａ）に示されるように、股下部の突出部分が略四角形に見える。
【０１８８】
これに対して、図１６（ｂ）に示されるように、体形補整用ガードル４５の股下部分は、第２ヨーク部材４４Ａ，４４Ｂの間から第１ヨーク部材３７Ａ，３７Ｂが見えており、第２ヨーク部材４４Ａ，４４Ｂの前中心２Ａよりの部分は平坦な形状をしている。そして、１対の第２ヨーク部材４４Ａ，４４Ｂの間、１対の第１ヨーク部材３７Ａ，３７Ｂの先端にマチ３９が縫付けられている。これを正面から見ると、図１５（ａ）に示されるように、股下部の突出部分が略三角形に見える。
【０１８９】
また、図１６（ｃ）に示されるように、体形補整用ガードル４０の変形例である体形補整用ガードル４０Ａにおいては、第２ヨーク部材３３Ａ，３３Ｂが細くなっており、第１ヨーク部材３７Ａ，３７Ｂが見えるため、これを正面から見ると、図１３（ａ）に示されるように股下部の突出部分が略四角形に見えるのは同様であるが、第１ヨーク部材３７Ａ，３７Ｂと第２ヨーク部材３３Ａ，３３Ｂの境界部分に線が入って見える。
【０１９０】
股下部の突出部分が前から見て略四角形に見える場合と股下部の突出部分が前から見て略三角形に見える場合についての股下部分の構造については、以下に示す実施の形態１２乃至実施の形態１４及び上記実施の形態１乃至実施の形態９においても同様であり、実施の形態１乃至実施の形態７においては、１対の第１ヨーク部材及び１対の第２ヨーク部材が図１６とは異なり、ガードル本体２の内側に縫付けられているため、破線で示される点が変わるのみである。
【０１９１】
なお、図１６においては、マチ３８，３９がいずれも略五角形の形状の場合を例示したが、マチの形状には種々あり、股下前側のみのマチや股下後側のみのマチ、前後続きの略瓢箪形状のマチ、前後続きの略楕円形状のマチ等、どのようなマチを用いても構わない。
【０１９２】
さらに、これらの股下部分の構造はほんの一例に過ぎず、他にも第１ヨーク部材と第２ヨーク部材が段違いになっていたり、第１ヨーク部材及び／または第２ヨーク部材の先端が三角形になっていたり、様々な場合があり、これらの場合には体形補整用ガードルを正面から見た場合には、股下部の突出部分はそれぞれ異なった形状に見える。
【０１９３】
実施の形態１２
次に、本発明の実施の形態１２にかかる体形補整用ガードルについて、図１７を参照して説明する。図１７（ａ）は本発明の実施の形態８にかかる体形補整用ガードルの全体構成を示す正面図、（ｂ）は背面図である。
【０１９４】
図１７（ａ）に示されるように、本実施の形態１２にかかる体形補整用ガードル４７は、脚部２Ａ，２Ｂを有し伸縮性生地としてのパワーネットからなるガードル本体２と、その表側の前中心２Ｃの中間部分から脚部２Ａ，２Ｂの付け根部分を巻いて左右対称に縫付けられた伸縮性生地としてのストレッチレースからなる１対の第２ヨーク部材４８Ａ，４８Ｂと、ガードル本体２の表側と第２ヨーク部材４８Ａ，４８Ｂとの間に挟み込まれ、両端をガードル本体２に縫付けられた伸縮性生地としてのサテンネット（ストレッチサテン）からなり、中間部分に各２対の枝部分１４を有する１対の引張り部材１３Ａ，１３Ｂとを具備する。
【０１９５】
ここで、１対の引張り部材１３Ａ，１３Ｂは引張り力を掛けながらガードル本体２の表側に上端、下端、及び枝部分１４が縫付けられ、１対の第２ヨーク部材４８Ａ，４８Ｂは引張り力を掛けない状態で、引張り部材１３Ａ，１３Ｂの上からガードル本体２の表側に縫付けられる。
【０１９６】
これによって、着用者の下腹部が第２ヨーク部材４８Ａ，４８Ｂの上部で締め付けられて引き締められるとともに、図１７（ｂ）に示されるように、着用者の臀部が第２ヨーク部材４８Ａ，４８Ｂの下部で上方へ引上げられてヒップの丸みが強調され、また引張り部材１３Ａ，１３Ｂは上端と下端及び枝部分１４のみがガードル本体２に縫付けられているので、ヒップアップの効果が一層強化される。また、枝部分１４がガードル本体２に縫付けられているので、引張り部材１３Ａ，１３Ｂが捩れることがない。
【０１９７】
さらに、第２ヨーク部材４８Ａ，４８Ｂ及び引張り部材１３Ａ，１３Ｂが脚部２Ａ，２Ｂの付け根部分を巻いて脚部２Ａ，２Ｂの前方まで大きく突出していることによって、第２ヨーク部材３３Ａ，３３Ｂ及び引張り部材１３Ａ，１３Ｂが普段鍛えられていない太もも内側の内転筋を締め付けるとともに引上げるため、着用して歩くだけで内転筋が鍛えられてシェイプアップされ、太ももをスリムにする効果をも具備する。そして、第２ヨーク部材４８Ａ，４８Ｂはストレッチレースからなり、装飾的な役割も果たし、引張り部材１３Ａ，１３Ｂは第２ヨーク部材４８Ａ，４８Ｂの下に覆い隠されているため、ガードルとしての見栄えを損なうことはない。
【０１９８】
このようにして、本実施の形態１２にかかる体形補整用ガードル４７は、ズボン・パンツやスカート等の衣服の下に着用するだけで十分に下腹部の弛みを引き締めるとともに十分に臀部の弛みを引き締めてヒップアップさせ、さらに着用して歩行するだけで内転筋が鍛えられて太ももがシェイプアップされて美しいプロポーションを得ることができ、ガードルとしての見栄えも損なうことがない。また、ガードル本体２の裏側には何も縫付けられないため、着用感が一段と向上する。
【０１９９】
本実施の形態１２においては、ガードル本体２をパワーネットで構成し、第２ヨーク部材４８Ａ，４８Ｂをストレッチレースで構成し、引張り部材１３Ａ，１３Ｂをサテンネット（ストレッチサテン）で構成した場合について説明したが、引張り部材１３Ａ，１３Ｂをパワーネットや他の伸縮性生地で構成しても良いし、ガードル本体２を構成する伸縮性生地として、サテンネット（ストレッチサテン）、ストレッチレースを始めとする他の伸縮性生地を用いても良い。
【０２００】
実施の形態１３
次に、本発明の実施の形態１３にかかる体形補整用ガードルについて、図１８を参照して説明する。図１８（ａ）は本発明の実施の形態１３にかかる体形補整用ガードルの全体構成を示す正面図、（ｂ）は背面図である。
【０２０１】
図１８（ａ），（ｂ）に示されるように、本実施の形態１３にかかる体形補整用ガードル５０は、全体の構造については、図８に示される実施の形態６にかかる体形補整用ガードル２２とほぼ同様である。即ち、脚部２Ａ，２Ｂを有し伸縮性生地としてのパワーネットからなるガードル本体２の裏側に、第２ヨーク部材３Ａ，３Ｂ、引張り部材１３Ａ，１３Ｂ、第１ヨーク部材６Ａ，６Ｂ、引張り部材１６Ａ，１６Ｂが縫付けられている。異なるのは、図１８（ａ）に示されるように、ガードル本体２の前中心２Ｃが途中まで分かれており、ファスナー５１によって開閉自在になっていることである。
【０２０２】
即ち、体形補整用ガードル５０は、全ての部分が伸縮性生地からなるため、引き締め効果は大きいが、その分着用に時間が掛かる場合があった。そこで、ガードル本体２の前中心２Ｃにファスナー５１を開閉自在に設けることによって、着用時にはファスナー５１を開いて着用し、その後ファスナー５１を閉めることによって、引き締め効果を保持しつつ容易に着用することができる。
【０２０３】
なお、ファスナー５１を開閉自在に設ける位置は前中心２Ｃに限られるものではなく、脇部または後中心でも良い。
【０２０４】
実施の形態１４
次に、本発明の実施の形態１４にかかる体形補整用ガードルについて、図１９を参照して説明する。図１９（ａ）は本発明の実施の形態１４にかかる体形補整用ガードルの全体構成を示す正面図、（ｂ）は背面図である。
【０２０５】
図１９（ａ），（ｂ）に示されるように、本実施の形態１４にかかる体形補整用ガードル５５は、全体の構造については、図１３に示される実施の形態１０にかかる体形補整用ガードル４０とほぼ同様である。即ち、脚部２Ａ，２Ｂを有し伸縮性生地としてのパワーネットからなるガードル本体２の表側に、第２ヨーク部材３３Ａ，３３Ｂ、引張り部材１３Ａ，１３Ｂ、第１ヨーク部材３７Ａ，３７Ｂ、引張り部材１６Ａ，１６Ｂが縫付けられている。異なるのは、図１９（ａ）に示されるように、ガードル本体２の前中心２Ｃが途中まで分かれており、ファスナー５１によって開閉自在になっていることである。
【０２０６】
即ち、体形補整用ガードル５５は、全ての部分が伸縮性生地からなるため、引き締め効果は大きいが、その分着用に時間が掛かる場合があった。そこで、ガードル本体２の前中心２Ｃにファスナー５１を開閉自在に設けることによって、着用時にはファスナー５１を開いて着用し、その後ファスナー５１を閉めることによって、引き締め効果を保持しつつ容易に着用することができる。
【０２０７】
なお、ファスナー５１を開閉自在に設ける位置は前中心２Ｃに限られるものではなく、脇部または後中心でも良い。
【０２０８】
その他の実施の形態１〜５，実施の形態７〜９，実施の形態１１，１２にかかる体形補整用ガードルについても、同様にファスナー５１を開閉自在に設けることができる。また、ファスナー５１を設ける位置は、前中心２Ｃに限られるものではなく、脇部または後中心等に設けることもできる。さらに、開閉自在にして体形補整用ガードルの着用を容易にする方法としては、分割部分にファスナーを設ける方法に限定されるものではなく、分割部分に複数のボタンとボタンホール、複数の１対ずつのドット釦、１対の接着布（マジックテープ（登録商標））、等を設けても良い。
【０２０９】
実施の形態１５
次に、本発明の実施の形態１５にかかる体形補整用下着としての体形補整用ガードルについて、図２０を参照して説明する。図２０（ａ）は本発明の実施の形態１５にかかる体形補整用ガードルの全体構成を示す正面図、（ｂ）は背面図、（ｃ）は体形補整用ガードルを構成する各部材を示す図である。
【０２１０】
図２０（ａ），（ｂ）に示されるように、本実施の形態１５にかかる体形補整用ガードル８５は、伸縮性生地としてのパワーネットからなるガードル本体８６に、伸縮性生地としてのストレッチレースからなる１対の第２ヨーク部材８７Ａ，８７Ｂが縫付けられている。ガードル本体８６は脚部８６Ａ，８６Ｂを有しており、第２ヨーク部材８７Ａ，８７Ｂは、これらの脚部８６Ａ，８６Ｂの付け根部分を巻いて脚部８６Ａ，８６Ｂの前方まで突出している。
【０２１１】
より正確に説明すると、図２０（ｃ）に示されるように、本実施の形態１５にかかる体形補整用ガードル８５は、ガードル本体８６を構成するパワーネットからなる部材８９Ａ，８９Ｂ，９０Ａ，９０Ｂ，９１Ａ，９１Ｂと、ストレッチレースからなる第２ヨーク部材８７Ａ，８７Ｂと、枝部分９３を有する伸縮性生地としてのパワーネットからなる引張り部材９２Ａ，９２Ｂとを、重ねて縫い合わせることによって製作されている。
【０２１２】
即ち、装飾性を有するストレッチレースからなる第２ヨーク部材８７Ａ，８７Ｂの縁が隠れるようにするために、まずパワーネットからなる部材９１Ａ，９１Ｂと第２ヨーク部材８７Ａ，８７Ｂとを、間にそれぞれ引張り部材９２Ａ，９２Ｂを挟んで、引張り部材９２Ａ，９２Ｂは各２対の枝部分９３及び先端部分のみを縫付けるようにして、縫い合わせる。
【０２１３】
次に、パワーネットからなる部材８９Ａ，８９Ｂ，９０Ａ，９０Ｂを、それぞれ第２ヨーク部材８７Ａ，８７Ｂの上辺の縁及び下辺の縁に１ｃｍ程度被せて、縫い合わせる。そして、前中心８６Ｃ及び後中心８６Ｄを縫い合わせて、最後にウエスト周りの始末及び脚部８６Ａ，８６Ｂの裾部分の始末をすることによって、図２０（ａ），（ｂ）に示されるように、本実施の形態１５にかかる体形補整用ガードル８５が完成する。
【０２１４】
これによって、ストレッチレースからなる第２ヨーク部材８７Ａ，８７Ｂの縁が、パワーネットからなる部材８９Ａ，８９Ｂ，９０Ａ，９０Ｂによって覆われるため、体形補整用ガードル８５の装飾性がより向上する。
【０２１５】
ここで、図２０（ａ）に示されるように、体形補整用ガードル８５においては、第２ヨーク部材８７Ａ，８７Ｂの脚部８６Ａ，８６Ｂの付け根部分を巻いて脚部８６Ａ，８６Ｂの前方まで突出している部分８８Ａ，８８Ｂが丸みを帯びた形状を有している。これによって、太もも部分の前方まで突出している部分８８Ａ，８８Ｂを縫付ける際に、特にミシン縫いの場合に丸みを帯びた形状８８Ａ，８８Ｂの縁に沿って途中で止まる必要がなく一気に縫付けることができるため、縫製が容易になり製造工程が短縮される。
【０２１６】
このようにして、本実施の形態１５にかかる体形補整用ガードル８５は、ズボン・パンツやスカート等の衣服の下に着用するだけで臀部の弛みを引き上げてより一層効果的にヒップアップさせるとともに、着用して歩行するだけで内転筋が鍛えられて太もも部分がシェイプアップされて美しいプロポーションを得ることができ、さらに製造工程を短縮することができるとともに装飾性がより向上するという作用効果が得られる。
【０２１７】
なお、上記実施の形態１〜実施の形態１４にかかる体形補整用ガードル１，５，８，１０，１２，１５，２０，２２，２５，３０，３２，３５，４０，４０Ａ，４２，４５，４７，５０，５５においても、本実施の形態１５にかかる体形補整用ガードル８５と同様に股下前部の突出部分の形状を丸みを帯びた形状とすることによって、縫製が容易になり製造工程を短縮できるという作用効果が得られる。
【０２１８】
また、本実施の形態１５にかかる体形補整用ガードル８５においては、装飾性を有するストレッチレースからなる第２ヨーク部材８７Ａ，８７Ｂの見栄えを良くするために、ガードル本体８６を六つに分離した部材８９Ａ，８９Ｂ，９０Ａ，９０Ｂ，９１Ａ，９１Ｂから構成しているが、上記実施の形態１〜実施の形態１４にかかる体形補整用ガードルと同様に、一体のガードル本体に第１ヨーク部材及び／または第２ヨーク部材及び／または引張り部材を取付けて構成しても良い。
【０２１９】
さらに、本実施の形態１５にかかる体形補整用ガードル８５についても、上記実施の形態１４と同様にファスナー５１を開閉自在に設けることができる。また、ファスナー５１を設ける位置は、前中心８６Ｃに限られるものではなく、脇部または後中心等に設けることもできる。さらに、開閉自在にして体形補整用ガードルの着用を容易にする方法としては、分割部分にファスナーを設ける方法に限定されるものではなく、分割部分に複数のボタンとボタンホール、複数の１対ずつのドット釦、１対の接着布（マジックテープ（登録商標））、等を設けても良い。
【０２２０】
実施の形態１６
次に、本発明の実施の形態１６にかかる体形補整用ガードルについて、図２１を参照して説明する。図２１（ａ）は本発明の実施の形態１６にかかる体形補整用ガードルの全体構成を示す正面図、（ｂ）は背面図、（ｃ）は体形補整用ガードルを構成する各部材を示す図である。
【０２２１】
図２１（ａ），（ｂ）に示されるように、本実施の形態１６にかかる体形補整用ガードル９５は、伸縮性生地としてのパワーネットからなるガードル本体９６に、伸縮性生地としてのストレッチレースからなる１対の第２ヨーク部材９７Ａ，９７Ｂが縫付けられている。ガードル本体９６は脚部９６Ａ，９６Ｂを有しており、第２ヨーク部材９７Ａ，９７Ｂは、これらの脚部９６Ａ，９６Ｂの付け根部分を巻いて脚部９６Ａ，９６Ｂの前方まで突出している。
【０２２２】
より正確に説明すると、図２１（ｃ）に示されるように、本実施の形態１６にかかる体形補整用ガードル９５は、ガードル本体９６を構成するパワーネットからなる部材９９Ａ，９９Ｂ，１００Ａ，１００Ｂ，１０１Ａ，１０１Ｂと、ストレッチレースからなる第２ヨーク部材９７Ａ，９７Ｂと、枝部分９３を有する伸縮性生地としてのパワーネットからなる引張り部材９２Ａ，９２Ｂとを、重ねて縫い合わせることによって製作されている。
【０２２３】
即ち、装飾性を有するストレッチレースからなる第２ヨーク部材９７Ａ，９７Ｂの縁が隠れるようにするために、まずパワーネットからなる部材１０１Ａ，１０１Ｂと第２ヨーク部材９７Ａ，９７Ｂとを、間にそれぞれ引張り部材９２Ａ，９２Ｂを挟んで、引張り部材９２Ａ，９２Ｂは各２対の枝部分９３のみを縫付けるようにして、縫い合わせる。
【０２２４】
次に、パワーネットからなる部材９９Ａ，９９Ｂ，１００Ａ，１００Ｂを、それぞれ第２ヨーク部材９７Ａ，９７Ｂの上辺の縁及び下辺の縁に１ｃｍ程度被せて、縫い合わせる。そして、前中心９６Ｃ及び後中心９６Ｄを縫い合わせて、最後にウエスト周りの始末及び脚部９６Ａ，９６Ｂの裾部分の始末をすることによって、図２１（ａ），（ｂ）に示されるように、本実施の形態１６にかかる体形補整用ガードル９５が完成する。
【０２２５】
これによって、ストレッチレースからなる第２ヨーク部材９７Ａ，９７Ｂの縁が、パワーネットからなる部材９９Ａ，９９Ｂ，１００Ａ，１００Ｂによって覆われるため、体形補整用ガードル９５の装飾性がより向上する。
【０２２６】
ここで、図２１（ａ）に示されるように、体形補整用ガードル９５においては、第２ヨーク部材９７Ａ，９７Ｂの脚部９６Ａ，９６Ｂの付け根部分を巻いて脚部９６Ａ，９６Ｂの前方まで突出している部分９８Ａ，９８Ｂが、丸みを帯びた形状を有しているとともに、脚部９６Ａ，９６Ｂの裾部分９６Ａａ，９６Ｂａまで達している。これによって、太もも内側がより下方まで第２ヨーク部材９７Ａ，９７Ｂによって締め付けられるため、太もも内側の内転筋を締め付ける効果がより増大して、着用して歩くだけで内転筋が鍛えられてシェイプアップされ、太ももをスリムにする効果がより強力になる。
【０２２７】
さらに、脚部９６Ａ，９６Ｂの前方まで突出している部分９８Ａ，９８Ｂを縫付ける際に、特にミシン縫いの場合に丸みを帯びた形状９８Ａ，９８Ｂの縁に沿って途中で止まる必要がなく一気に縫付けることができるため、縫製が容易になり製造工程が短縮される。
【０２２８】
このようにして、本実施の形態１６にかかる体形補整用ガードル９５は、ズボン・パンツやスカート等の衣服の下に着用するだけで臀部の弛みを引き上げてより一層効果的にヒップアップさせるとともに、着用して歩行するだけでより強力に内転筋が鍛えられて太もも部分がシェイプアップされて美しいプロポーションを得ることができ、さらに製造工程を短縮することができるとともに装飾性がより向上するという作用効果が得られる。
【０２２９】
なお、本実施の形態１６にかかる体形補整用ガードル９５においては、装飾性を有するストレッチレースからなる第２ヨーク部材９７Ａ，９７Ｂの見栄えを良くするために、ガードル本体９６を六つに分離した部材９９Ａ，９９Ｂ，１００Ａ，１００Ｂ，１０１Ａ，１０１Ｂから構成しているが、上記実施の形態１〜実施の形態１４にかかる体形補整用ガードルと同様に、一体のガードル本体に第１ヨーク部材及び／または第２ヨーク部材及び／または引張り部材を取付けて構成しても良い。
【０２３０】
さらに、本実施の形態１６にかかる体形補整用ガードル９５についても、上記実施の形態１４と同様にファスナー５１を開閉自在に設けることができる。また、ファスナー５１を設ける位置は、前中心９６Ｃに限られるものではなく、脇部または後中心等に設けることもできる。さらに、開閉自在にして体形補整用ガードルの着用を容易にする方法としては、分割部分にファスナーを設ける方法に限定されるものではなく、分割部分に複数のボタンとボタンホール、複数の１対ずつのドット釦、１対の接着布（マジックテープ（登録商標））、等を設けても良い。
【０２３１】
上記各実施の形態においては、体形補整用下着として女性用の体形補整用ガードルについてのみ説明したが、同様な構成で男性用の体形補整用下着としての体形補整用ズボン下等を作製することができる。
【０２３２】
また、上記各実施の形態においては、体形補整用下着としての体形補整用ガードルとして、第１ヨーク部材、第２ヨーク部材、引張り部材が脚部２Ａ，２Ｂの付け根部分を巻いて脚部２Ａ，２Ｂの前方まで大きく突出している場合のみについて説明したが、脚部２Ａ，２Ｂの前方まで突出していなくても良く、この場合には太ももをシェイプアップする効果は減少するが、ヒップアップの効果は同様に得ることができる。
【０２３３】
さらに、上記各実施の形態においては、体形補整用下着としての体形補整用ガードルとして、ガードル本体２のウエスト上端を腰回り付近としたスタンダードタイプの体形補整用ガードルのみについて説明したが、本発明にかかる体形補整用ガードルはこれに限定されるものではなく、ガードル本体のウエスト上端を腰回りより上方にまで長く伸ばしたハイウエストタイプとしても良いし、ガードルのウエスト上端を腰回りより下方に短く設定したローウエストタイプとしても良い。
【０２３４】
ハイウエストタイプとした場合には、寒い時期でも暖かいという効果が得られ、ローウエストタイプとした場合には、若い人を中心に流行しているローライズジーンズ等の腰回りが低いボトムズの下にも着用することができるという特長がある。
【０２３５】
体形補整用下着のその他の部分の構造、形状、数量、材質、大きさ（幅・長さ・厚さ等）、接続関係等についても、上記各実施の形態に限定されるものではない。
【図面の簡単な説明】
【０２３６】
【図１】図１（ａ）は本発明の実施の形態１にかかる体形補整用ガードルの全体構成を示す正面図、（ｂ）は背面図である。
【図２】図２（ａ）は本発明の実施の形態２にかかる体形補整用ガードルの全体構成を示す正面図、（ｂ）は背面図である。
【図３】図３（ａ）は本発明の実施の形態２の変形例にかかる体形補整用ガードルの全体構成を示す正面図、（ｂ）は背面図である。
【図４】図４（ａ）は本発明の実施の形態３にかかる体形補整用ガードルの全体構成を示す正面図、（ｂ）は背面図である。
【図５】図５（ａ）は本発明の実施の形態４にかかる体形補整用ガードルの全体構成を示す正面図、（ｂ）は背面図である。
【図６】図６（ａ）は本発明の実施の形態５にかかる体形補整用ガードルの全体構成を示す正面図、（ｂ）は背面図である。
【図７】図７（ａ）は本発明の実施の形態５の変形例にかかる体形補整用ガードルの全体構成を示す正面図、（ｂ）は背面図である。
【図８】図８（ａ）は本発明の実施の形態６にかかる体形補整用ガードルの全体構成を示す正面図、（ｂ）は背面図である。
【図９】図９（ａ）は本発明の実施の形態７にかかる体形補整用ガードルの全体構成を示す正面図、（ｂ）は背面図である。
【図１０】図１０（ａ）は本発明の実施の形態７の変形例にかかる体形補整用ガードルの全体構成を示す正面図、（ｂ）は背面図である。
【図１１】図１１（ａ）は本発明の実施の形態８にかかる体形補整用ガードルの全体構成を示す正面図、（ｂ）は背面図である。
【図１２】図１２（ａ）は本発明の実施の形態９にかかる体形補整用ガードルの全体構成を示す正面図、（ｂ）は背面図である。
【図１３】図１３（ａ）は本発明の実施の形態１０にかかる体形補整用ガードルの全体構成を示す正面図、（ｂ）は背面図である。
【図１４】図１４（ａ）は本発明の実施の形態１１にかかる体形補整用ガードルの全体構成を示す正面図、（ｂ）は背面図である。
【図１５】図１５（ａ）は本発明の実施の形態１１の変形例にかかる体形補整用ガードルの全体構成を示す正面図、（ｂ）は背面図である。
【図１６】図１６（ａ）は体形補整用ガードル４０を股下から見たところを示す底面図、（ｂ）は体形補整用ガードル４５を股下から見たところを示す底面図、（ｃ）は体形補整用ガードル４０の変形例である体形補整用ガードル４０Ａを股下から見たところを示す底面図である。
【図１７】図１７（ａ）は本発明の実施の形態８にかかる体形補整用ガードルの全体構成を示す正面図、（ｂ）は背面図である。
【図１８】図１８（ａ）は本発明の実施の形態１３にかかる体形補整用ガードルの全体構成を示す正面図、（ｂ）は背面図である。
【図１９】図１９（ａ）は本発明の実施の形態１４にかかる体形補整用ガードルの全体構成を示す正面図、（ｂ）は背面図である。
【図２０】図２０（ａ）は本発明の実施の形態１５にかかる体形補整用ガードルの全体構成を示す正面図、（ｂ）は背面図、（ｃ）は体形補整用ガードルを構成する各部材を示す図である。
【図２１】図２１（ａ）は本発明の実施の形態１６にかかる体形補整用ガードルの全体構成を示す正面図、（ｂ）は背面図、（ｃ）は体形補整用ガードルを構成する各部材を示す図である。
【符号の説明】
【０２３７】
１，５，８，１０，１２，１５，２０，２２，２５，３０，３２，３５，４０，４０Ａ，４２，４５，４７，５０，５５，８５，９５  体形補整用ガードル
２，８６，９６  ガードル本体
２Ａ，２Ｂ，８６Ａ，８６Ｂ，９６Ａ，９６Ｂ，  脚部
２Ｃ，８６Ｃ，９６Ｃ  前中心
２Ｄ，８６Ｄ，９６Ｄ  後中心
３Ａ，３Ｂ，２６Ａ，２６Ｂ，３３Ａ，３３Ｂ，４４Ａ，４４Ｂ，４８Ａ，４８Ｂ，８７Ａ，８７Ｂ，９７Ａ，９７Ｂ  第２ヨーク部材
６Ａ，６Ｂ，３７Ａ，３７Ｂ  第１ヨーク部材
１３Ａ，１３Ｂ，１６Ａ，１６Ｂ，２７Ａ，２７Ｂ，９２Ａ，９２Ｂ  引張り部材
１４，１７，２８，９３  枝部分
５１  ファスナー
【図１】
2006291441.tif 000003
【図２】
2006291441.tif 000004
【図３】
2006291441.tif 000005
【図４】
2006291441.tif 000006
【図５】
2006291441.tif 000007
【図６】
2006291441.tif 000008
【図７】
2006291441.tif 000009
【図８】
2006291441.tif 000010
【図９】
2006291441.tif 000011
【図１０】
2006291441.tif 000012
【図１１】
2006291441.tif 000013
【図１２】
2006291441.tif 000014
【図１３】
2006291441.tif 000015
【図１４】
2006291441.tif 000016
【図１５】
2006291441.tif 000017
【図１６】
2006291441.tif 000018
【図１７】
2006291441.tif 000019
【図１８】
2006291441.tif 000020
【図１９】
2006291441.tif 000021
【図２０】
2006291441.tif 000022
【図２１】
2006291441.tif 000023